(57)【特許請求の範囲】
【請求項１】
行列状に配置された複数の画素を含み、行と平行する第１辺と前記第１辺と対向する第２辺とを有する画素配列と、
前記画素配列の各行に配置され、対応する行に配置された複数の画素に走査信号を供給する複数の走査線と、
前記画素配列の各列に配置され、対応する列に配置された複数の画素に、画像信号を供給する複数の信号線と、
前記画素配列の列に配置され、外部近接物体を検出するための駆動信号が供給される複数の駆動電極と、
前記画素配列の前記第１辺に沿って配置され、前記画素配列に配置された複数の制御線と前記複数の駆動電極とに接続され、前記複数の駆動電極のうち、前記複数の制御線を介して供給される選択信号によって指定される駆動電極へ、前記駆動信号を供給する第１駆動電極回路と、
を備える、表示装置。
【請求項２】
請求項１に記載の表示装置において、
前記複数の信号線のうちの少なくとも一部の信号線が、前記複数の制御線である、表示装置。
【請求項３】
請求項２に記載の表示装置において、
前記表示装置は、前記画素配列の前記第２辺に沿って配置され、前記複数の信号線に接続された信号線回路を備え、前記信号線回路は、前記画素配列において画像の表示を行うとき、画像信号を前記複数の信号線へ供給する、表示装置。
【請求項４】
請求項３に記載の表示装置において、
前記表示装置は、外部近接物体を検出するとき、前記複数の駆動電極のうちから、駆動電極を指定する前記選択信号を形成するタッチ制御装置を備える、表示装置。
【請求項５】
請求項２に記載の表示装置において、
前記表示装置は、前記画素配列の前記第２辺に沿って配置され、前記複数の駆動電極に接続された第２駆動電極回路を備え、
前記第２駆動電極回路は、前記複数の駆動電極のうち、前記第１駆動電極回路から前記駆動信号が供給される駆動電極と同じ駆動電極に、駆動信号を供給する、表示装置。
【請求項６】
請求項５に記載の表示装置において、
前記表示装置は、前記画素配列の前記第２辺に沿って配置され、前記複数の信号線に接続された信号線回路を備え、前記信号線回路は、前記画素配列において画像の表示を行うとき、画像信号を前記複数の信号線へ供給する、表示装置。
【請求項７】
請求項６に記載の表示装置において、
前記第１駆動電極回路は、
駆動回路と、
前記駆動回路と前記複数の制御線である信号線との間に設けられ、前記画素配列において画像の表示を行うとき、前記駆動回路と前記複数の制御線である信号線との間を電気的に分離する分離回路を備え、
前記駆動回路は、前記複数の制御線に接続されているとき、駆動信号を供給する、表示装置。
【請求項８】
請求項７に記載の表示装置において、
前記第２駆動電極回路から出力される駆動信号が、前記複数の制御線である信号線を介して、前記選択信号として前記第１駆動電極回路へ供給される、表示装置。
【請求項９】
請求項８に記載の表示装置において、
前記表示装置は、外部近接物体を検出するとき、前記複数の駆動電極のうちから、駆動電極を指定する選択信号を形成するタッチ制御装置を備え、前記タッチ制御装置により形成された選択信号に基づいた駆動信号を、前記第２駆動電極回路が出力する、表示装置。
【請求項１０】
請求項７に記載の表示装置において、
前記表示装置は、外部近接物体を検出するとき、前記複数の駆動電極のうちから、駆動電極を指定する選択信号を形成するタッチ制御装置を備え、前記第１駆動電極回路および前記第２駆動電極回路のそれぞれが、前記タッチ制御装置により形成された選択信号により指定されている駆動電極へ駆動信号を供給する、表示装置。
【請求項１１】
請求項１０に記載の表示装置において、
前記タッチ制御装置は、前記複数の駆動電極のうち、指定する駆動電極に対応する選択信号を周期的に電圧が変化する信号とし、
前記第１駆動電極回路および前記第２駆動電極回路のそれぞれは、周期的に電圧が変化する選択信号に、同期して、指定する駆動電極を第１電圧と第２電圧とに交互に接続する、表示装置。
【請求項１２】
請求項１０に記載の表示装置において、
前記タッチ制御装置は、前記複数の駆動電極のうち、指定する駆動電極に対応する選択信号を所定の電圧を有する信号とし、
前記第１駆動電極回路および前記第２駆動電極回路のそれぞれは、所定の電圧を有する信号を選択信号として受けたとき、指定する駆動電極へ、その電圧が周期的に変化する信号を、前記駆動信号として供給する、表示装置。
【請求項１３】
請求項１１または１２に記載の表示装置において、
前記タッチ制御装置は、半導体装置であり、前記半導体装置の外部端子に供給される選択情報に基づいて、前記選択信号を形成する、表示装置。
【請求項１４】
請求項２に記載の表示装置において、
画像の表示を行う表示期間とは異なるタッチ検出期間に、前記複数の制御線に前記選択信号が供給される、表示装置。
【発明の詳細な説明】
【技術分野】
【０００１】
本発明は、表示装置に関し、特に外部近接物体を検出可能なタッチ検出機能付き表示装置に関する。
【背景技術】
【０００２】
近年、いわゆるタッチパネルと呼ばれる、外部近接物体を検出可能なタッチ検出装置が注目されている。タッチパネルは、表示装置、例えば液晶表示装置上に装着または液晶表示装置と一体化される。このように、タッチパネルが表示装置上に装着または一体化された表示装置、すなわちタッチ検出機能付き表示装置は、表示装置に各種のボタン画像等を表示させ、外部物体がボタン画像に近接したことをタッチパネルで検出する。これにより、タッチパネルを通常の機械式ボタンの代わりとして、情報入力の手段として用いることを可能としている。このようなタッチ検出機能付きの表示装置は、キーボードやマウスのような情報入力の手段を必ずしも必要としないため、コンピュータのほか、携帯電話のような携帯情報端末などでも、使用が拡大する傾向にある。
【０００３】
タッチ検出装置の検出方式としては、光学式、抵抗式、静電容量式などのいくつかの方式が存在する。このなかで、静電容量式のタッチ検出装置は、比較的単純な構造を有し、低消費電力であるため、携帯情報端末などに用いられている。特許文献１には、静電容量式のタッチ検出装置が記載されている。
【０００４】
また、表示装置においては、ますます表示面の大型化が求められている。これに合わせてタッチパネルの大型化も求められている。一方、表示装置自体の大型化は、可搬性を悪くするため、望ましくない。そのため、表示装置の大型化を抑制しながら、表示面の大型化を図るために、表示装置の狭額縁化が求められている。すなわち、表示装置の表示面を囲む額縁を狭くすることが求められている。
【先行技術文献】
【特許文献】
【０００５】
【特許文献１】特開２０１２−２３０６５７号公報
【発明の概要】
【発明が解決しようとする課題】
【０００６】
静電容量式のタッチ検出装置においては、例えば、特許文献１に示されているように、駆動電極と検出電極とが交差する交差部分における容量の値が、指等の外部物体が近接（接触を含む）することにより変化することを利用して、外部物体の近接を検出している。すなわち、駆動電極に駆動信号を供給したとき、検出電極に生じる検出信号に基づいて、外部物体の近接を検出している。タッチ検出装置では、このような駆動電極と検出電極とが、それぞれ複数個設けられ、複数の駆動電極は、列方向に順次配置され、複数の検出電極は、複数の駆動電極と交差するように、行方向に順次配置される。
【０００７】
駆動信号を形成する回路は、額縁に相当する領域に形成される。狭額縁化を図るために、額縁に相当する領域を狭くすると、駆動信号を形成する回路に割り当てられる領域が狭くなり、回路の駆動能力が低下する。駆動能力が低下すると、駆動電極の電圧変化が遅くなり、タッチ検出に関する特性の悪化が危惧される。
【０００８】
本発明の目的は、額縁の増加を抑制しながら、タッチ検出の特性が悪化するのを防ぐことが可能なタッチ検出機能付き表示装置を提供することにある。
【課題を解決するための手段】
【０００９】
本発明の一態様に係わる表示装置は、行列状に配置された複数の画素を含み、行と平行する第１辺と当該第１辺と対向する第２辺とを有する画素配列と、画素配列の各行に配置され、対応する行に配置された複数の画素に走査信号を供給する複数の走査線と、画素配列の各列に配置され、対応する列に配置された複数の画素に、画像信号を供給する複数の信号線と、画素配列の列に配置され、外部近接物体を検出するための駆動信号が供給される複数の駆動電極と、画素配列の第１辺に沿って配置され、画素配列に配置された複数の制御線と複数の駆動電極とに接続され、複数の駆動電極のうち、複数の制御線を介して供給される選択信号によって指定される駆動電極へ、駆動信号を供給する第１駆動電極回路を備える。
【図面の簡単な説明】
【００１０】
【図１】実施の形態１に係わるタッチ検出機能付き液晶表示装置の構成を示すブロック図である。
【図２】（Ａ）〜（Ｃ）は、静電容量型タッチ検出（相互容量方式）の基本原理を説明するための説明図である。
【図３】（Ａ）および（Ｂ）は、実施の形態１に係わるタッチ検出機能付き液晶表示装置を実装したモジュールの概略を示す平面図および断面図である。
【図４】（Ａ）〜（Ｃ）は、実施の形態１に係わるタッチ検出機能付き液晶表示装置を実装したモジュールの概略を示す平面図および断面図である。
【図５】実施の形態１に係わるタッチ検出機能付き液晶表示装置を実装したモジュールの構成を示す平面図である。
【図６】実施の形態１に係わる画素配列の構成を示す回路図である。
【図７】実施の形態１に係わるタッチ検出機能付き液晶表示装置の構成を示すブロック図である。
【図８】実施の形態１に係わるタッチ検出機能付き液晶表示装置の構成を示す回路図である。
【図９】（Ａ）〜（Ｅ）は、実施の形態１に係わるタッチ検出機能付き液晶表示装置の動作を示す波形図である。
【図１０】実施の形態２に係わるタッチ検出機能付き液晶表示装置の構成を示すブロック図である。
【図１１】実施の形態２に係わるタッチ検出機能付き液晶表示装置の構成を示す回路図である。
【図１２】（Ａ）〜（Ｅ）は、実施の形態２に係わるタッチ検出機能付き液晶表示装置の動作を示す波形図である。
【図１３】実施の形態３に係わるタッチ検出機能付き液晶表示装置の構成を示すブロック図である。
【図１４】実施の形態３に係わるタッチ検出機能付き液晶表示装置の構成を示す回路図である。
【図１５】（Ａ）〜（Ｅ）は、実施の形態３に係わるタッチ検出機能付き液晶表示装置の動作を示す波形図である。
【発明を実施するための形態】
【００１１】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１２】
また、本明細書と各図において、既出の図に関して前述したものと同様の要素には、同一の符号を付して、詳細な説明を適宜省略することがある。
【００１３】
以下の説明は、タッチ検出機能付き表示装置としてタッチ検出機能付き液晶表示装置を例として述べる。しかしながら、これに限定されず、タッチ検出機能付きＯＬＥＤ表示装置にも適用することが可能である。また、先に述べたように、タッチ検出方式としては、種々の方式が存在するが、以下の説明では、タッチ検出方式として静電容量式を採用した例を説明する。さらに、静電容量式のタッチ検出方式を採用するタッチ検出装置にも、複数の方式が存在するので、ここでは、相互容量方式のタッチ検出方式を用いたタッチ検出装置を例として説明する。
【００１４】
また、本明細書においては、タッチ検出装置が、表示装置と一体化されたインセルタイプのタッチ検出機能付き液晶表示装置に適用した例について説明する。ここで、インセルタイプのタッチ検出機能付き液晶表示装置とは、タッチ検出装置に含まれる駆動電極および検出電極の少なくとも一方が、表示装置の液晶を介して対向する一対の基板間に設けられたタッチ検出機能付き液晶表示装置を意味する。具体的には、タッチ検出装置に含まれる駆動電極が、液晶を駆動する駆動電極としても用いられている場合を説明する。駆動電極が、タッチ検出用の駆動電極および液晶表示用の駆動電極として、共用されることから、以下の説明においては、駆動電極を共通電極と称する場合もある。
【００１５】
（実施の形態１）
＜静電容量型タッチ検出（相互容量方式）の基本原理＞
先ず、相互容量方式の基本原理を説明しておく。図２（Ａ）〜（Ｃ）は、後で述べる実施の形態１〜３において採用されている静電容量方式のタッチ検出の基本原理を示す模式図である。図２（Ａ）において、ＴＬ（０）〜ＴＬ（ｐ）のそれぞれは、液晶パネルに設けられた共通電極であり、ＲＬ（０）〜ＲＬ（ｐ）のそれぞれは、タッチ検出パネル部に設けられた検出電極である。図２（Ａ）において、共通電極ＴＬ（０）〜ＴＬ（ｐ）のそれぞれは、列方向に延在し、行方向に平行して配置されている。また、検出電極ＲＬ（０）〜ＲＬ（ｐ）のそれぞれは、共通電極ＴＬ（０）〜ＴＬ（ｐ）と交差するように、行方向に延在し、列方向に平行して配置されている。検出電極ＲＬ（０）〜ＲＬ（ｐ）と共通電極ＴＬ（０）〜ＴＬ（ｐ）との間に隙間が生じるように、検出電極ＲＬ（０）〜ＲＬ（ｐ）は、共通電極ＴＬ（０）〜ＴＬ（ｐ）の上方に形成されている。
【００１６】
図２（Ａ）において、１２−０〜１２−ｐのそれぞれは、単位駆動電極ドライバを模式的に示している。同図では、単位駆動電極ドライバ１２−０〜１２−ｐから、駆動信号Ｔｘ（０）〜Ｔｘ（ｐ）が出力されている。また、１３−０〜１３−ｐのそれぞれは、単位増幅部を模式的に示している。図２（Ａ）において、実線の○で囲んだパルス信号は、駆動信号Ｔｘ（ｉ）の波形を示している。外部物体として、同図では、指がＦＧとして示されている。
【００１７】
図２の例では、共通電極ＴＬ（２）に、単位駆動電極ドライバ１２−２から駆動信号Ｔｘ（２）として、パルス信号が供給されている。共通電極ＴＬ（２）にパルス信号である駆動信号Ｔｘ（２）を供給することにより、図２（Ｂ）に示すように、共通電極ＴＬ（２）と交差する検出電極ＲＬ（ｎ）との間で電界が発生する。このとき、指ＦＧが、液晶パネルの共通電極ＴＬ（２）に近接している位置をタッチしていると、指ＦＧと共通電極ＴＬ（２）との間でも電界が発生し、共通電極ＴＬ（２）と検出電極ＲＬ（ｎ）との間で発生している電界が減少する。これにより、共通電極ＴＬ（２）と検出電極ＲＬ（ｎ）との間の電荷量が減少する。その結果、図２（Ｃ）に示すように、駆動信号Ｔｘ（２）の供給に応答して生じる電荷量は、指ＦＧがタッチしているときは、タッチしていないときに比べてΔＱだけ減少する。電荷量の差は、電圧の差として検出信号Ｒｘ（ｎ）に表れ、単位増幅部１３−ｎに供給され、増幅される。
【００１８】
なお、図２（Ｃ）において、横軸は時間を示しており、縦軸は電荷量を示している。駆動信号Ｔｘ（２）の立ち上がりに応答して、電荷量は、増加（同図において、上側に増加）し、駆動信号Ｔｘ（２）の電圧の立ち下がりに応答して、電荷量は、増加（同図において、下側に増加）する。このとき、指ＦＧのタッチの有無によって、増加する電荷量が変わる。また、この図面では、電荷量が、上側に増加した後、下側へ増加する前に、リセットが行われており、同様に、電荷量が下側へ増加した後、上側へ増加する前に、電荷量のリセットが行われている。このようにして、リセットされた電荷量を基準として、上下に電荷量が変化する。
【００１９】
共通電極ＴＬ（０）〜ＴＬ（ｐ）に、駆動信号Ｔｘ（０）〜Ｔｘ（ｐ）を、順次、供給することにより、駆動信号Ｔｘ（ｉ）を供給した共通電極と交差する複数の検出電極ＲＬ（０）〜ＲＬ（ｐ）のそれぞれから、それぞれの交差部分に近接した位置に指ＦＧがタッチしているか否かに応じた電圧値を有する検出信号Ｒｘ（０）〜Ｒｘ（ｐ）が出力されることになる。電荷量に差ΔＱが生じている時刻において、検出信号Ｒｘ（０）〜Ｒｘ（ｐ）のそれぞれを、サンプリングし、アナログ／デジタル変換部（以下、Ａ／Ｄ変換部と称する）を用いて、デジタル信号へ変換する。Ａ／Ｄ変換部によって変換されたデジタル信号を信号処理することにより、タッチされた位置の座標を抽出する。
【００２０】
＜全体構成＞
次に、タッチ検出機能付き液晶表示装置（以下、単に液晶表示装置とも称する）１の全体構成を、図１を用いて説明する。図１は、タッチ検出機能付き液晶表示装置１の構成を示すブロック図である。タッチ検出機能付き液晶表示装置１は、液晶パネル（表示パネル）２、表示制御装置５、信号線セレクタ６、タッチ制御装置７およびゲートドライバ８を具備している。図１では、図面を見易くするために、液晶パネル２は、模式的に描かれており、液晶パネル部（表示パネル部）３とタッチ検出パネル部４を具備している。液晶パネル２の構成については、後で図３および図４を用いて説明する。
【００２１】
これら液晶パネル部３とタッチ検出パネル部４は、駆動電極を共用している。液晶パネル部３には、ゲートドライバ８から走査信号Ｖｓ０〜Ｖｓｐが供給され、さらに信号線セレクタ６を介して表示制御装置５から画像信号ＳＬｄ（０）〜ＳＬｄ（ｐ）が供給され、画像信号ＳＬｄ（０）〜ＳＬｄ（ｐ）に従った画像を表示する。タッチ検出パネル部４は、表示制御装置５から駆動信号Ｔｘ（０）〜Ｔｘ（ｐ）が供給され、検出信号Ｒｘ（０）〜Ｒｘ（ｐ）をタッチ制御装置７に出力する。
【００２２】
表示制御装置５は、制御部９および駆動回路１０を有しており、駆動回路１０は、画像信号を形成し、出力する信号線ドライバ１１と駆動信号Ｔｘ（０）〜Ｔｘ（ｐ）を出力する駆動電極ドライバ１２とを有している。制御部９は、制御端子Ｔｔに供給されるタイミング信号および制御信号と、画像端子Ｔｄに供給される画像信号とを受け、画像端子Ｔｄに供給された画像信号に応じた画像信号Ｓｎを信号線ドライバ１１に供給する。信号線ドライバ１１は、制御部９から供給された画像信号Ｓｎを、特に制限されないが、時間的に多重化して、信号線セレクタ６へ出力する。すなわち、信号線ドライバ１１の１個の出力端子を見た場合、２つの画像信号が、時間的にずらしながら、１個の端子から出力される。
【００２３】
また、制御部９は、時間的に多重化された画像信号を、信号線セレクタ６において、互いに異なる信号線へ振り分けるための選択信号ＳＥＬ１、ＳＥＬ２を信号線セレクタ６に供給する。信号線セレクタ６は、多重化して供給された画像信号を、選択信号ＳＥＬ１、ＳＥＬ２によって互いに異なる信号線へ振り分け、画像信号ＳＬｄ（０）〜ＳＬｄ（ｐ）として、液晶パネル部３に供給する。信号線セレクタ６は、液晶パネル部３の近傍に配置されている。このように、画像信号を時間的に多重化することにより、表示制御装置５と液晶パネル部３とを電気的に接続する配線の数を低減することが可能となる。言い換えるならば、表示制御装置５と液晶パネル部３との間を接続する配線の線幅を広くし、画像信号の遅延を低減することが可能となる。
【００２４】
制御部９は、制御端子Ｔｔに供給されるタイミング信号および制御信号に基づいて、ゲートドライバ８にタイミング信号を供給する。ゲートドライバ８は、供給されたタイミング信号に基づいて、走査信号Ｖｓ０〜Ｖｓｐを発生し、液晶パネル部３に供給する。ゲートドライバ８によって発生される走査信号Ｖｓ０〜Ｖｓｐは、例えば走査信号Ｖｓ０からＶｓｐに向かって順次ハイレベルとなるようなパルス信号である。
【００２５】
駆動回路１０内の駆動電極ドライバ１２は、タッチ制御装置７から供給される選択信号ＴＰ（０）〜ＴＰ（ｐ）を受信し、液晶パネル２に含まれている複数の共通電極ＴＬ（０）〜ＴＬ（ｐ）に、駆動信号Ｔｘ（０）〜Ｔｘ（ｐ）を供給する。特に制限されないが、この実施の形態１においては、駆動信号Ｔｘ（０）〜Ｔｘ（ｐ）と選択信号ＴＰ（０）〜ＴＰ（ｐ）とは、１対１に対応している。タッチを検出するとき、複数の共通電極ＴＬ（０）〜ＴＬ（ｐ）から、タッチを検出する共通電極（以下、選択共通電極とも称する）とタッチを検出しない共通電極（以下、非選択共通電極とも称する）が選択される。この選択は、選択信号ＴＰ（０）〜ＴＰ（ｐ）により選択共通電極を指定することにより行われる。
【００２６】
例えば、選択信号ＴＰ（ｉ）が、共通電極ＴＬ（ｉ）を選択共通電極として指定する場合、駆動電極ドライバ１２は、この選択信号ＴＰ（ｉ）に対応する駆動信号Ｔｘ（ｉ）を、その電圧が周期的に変化するクロック信号として出力する。このとき、例えば選択信号ＴＰ（ｎ）が、共通電極ＴＬ（ｎ）を非選択共通電極として指定していれば、駆動電極ドライバ１２は、この選択信号ＴＰ（ｎ）に対応した駆動信号Ｔｘ（ｎ）を所定の電圧に固定する。図２を用いて説明したように、共通電極の電圧が周期的に変化することにより、当該共通電極の近傍がタッチされているか否かの検出を行うことが可能となる。
【００２７】
特に制限されないが、この実施の形態１においては、タッチ制御装置７は、外部端子Ｔａに供給される選択情報に従って選択信号ＴＰ（０）〜ＴＰ（ｐ）を形成する。そのため、選択情報に従って任意の共通電極を選択共通電極として指定し、任意の選択共通電極の近傍がタッチされているか否かの検出を行うことが可能である。
【００２８】
特に制限されないが、この実施の形態１において、タッチ制御装置７は、選択情報に従って、選択共通電極に対応する選択信号を、例えばハイレベルにし、非選択共通電極に対応する選択信号を、ロウレベルにする。また、タッチ制御装置７は、タッチを検出するとき、周期的に電圧が変化する制御信号（クロック信号）ＴＳＶＣＯＭを出力する。駆動電極ドライバ１２は、選択信号ＴＰ（０）〜ＴＰ（ｐ）と制御信号ＴＳＶＣＯＭとを受け、ハイレベルとなっている選択信号に対応する駆動信号として、制御信号ＴＳＶＣＯＭを出力する。また、ロウレベルとなっている選択信号に対応する駆動信号として、接地電圧を出力する。
【００２９】
この実施の形態１に係わるタッチ検出機能付き液晶表示装置１はインセルタイプであり、駆動電極ＴＬ（ｉ）がタッチ検出の駆動と液晶の駆動とに兼用されている。すなわち、駆動電極ＴＬ（ｉ）は、画像表示のときには、液晶を駆動するための電界を、後で述べる画素電極との間で形成するように機能し、タッチ検出のときには、タッチ検出用の駆動信号を伝達するように機能する。液晶パネル部３における液晶の画像表示とタッチ検出パネル部４におけるタッチ検出とは、時間的に重ならないように、時分割で行われる。すなわち、画像を表示する表示期間と、タッチ検出を行うタッチ検出期間とが重ならないように、時分割で発生する。
【００３０】
画像表示を行う表示期間において、駆動電極ドライバ１２は、液晶を駆動するための駆動信号Ｔｘ（ｉ）を液晶パネル２内の共通電極ＴＬ（ｉ）に供給し、タッチ検出を行うタッチ検出期間においては、タッチ検出のための駆動信号Ｔｘ（ｉ）を、液晶パネル２内の共通電極ＴＬ（ｉ）に供給する。勿論、駆動回路１０に、タッチ検出のための駆動電極ドライバと液晶を駆動するための駆動電極ドライバとを、別々に設けるようにしてもよい。また、制御部９は、表示期間とタッチ検出期間とを識別するタッチ−表示同期信号ＴＳＨＤを出力する。
【００３１】
タッチ制御装置７は、タッチ検出パネル部４からの検出信号Ｒｘ（０）〜Ｒｘ（ｐ）を処理する検出信号処理部ＴＳと、駆動電極ドライバ１２へ供給される選択信号ＴＰ（０）〜ＴＰ（ｐ）および制御信号ＴＳＶＣＯＭ、ＶＣＯＭＳＥＬ、ｘＶＣＯＭＳＥＬを形成する駆動信号形成部１７と、検出信号処理部ＴＳおよび駆動信号形成部１７を制御する制御部１８とを具備している。ここで、検出信号処理部ＴＳは、タッチ検出パネル部４がタッチされたか否かを検出し、タッチされていた場合、タッチされた位置の座標を求める処理を行う。また、駆動信号形成部１７は、タッチ検出パネル部４において、タッチを検出する領域の指定と制御を行う。
【００３２】
まず、検出信号処理部ＴＳについて述べると、検出信号処理部ＴＳは、タッチ検出パネル部４からの検出信号Ｒｘ（０）〜Ｒｘ（ｐ）を受信し、受信した検出信号Ｒｘ（０）〜Ｒｘ（ｐ）を増幅するタッチ検出信号増幅部１３と、タッチ検出信号増幅部１３によって増幅されたアナログの検出信号をデジタル信号へ変換するＡ／Ｄ変換部１４とを含んでいる。ここで、タッチ検出信号増幅部１３は、受信した検出信号Ｒｘ（０）〜Ｒｘ（ｐ）から高い周波数の成分（ノイズ成分）を取り除き、増幅動作を行う。また、検出信号Ｒｘ（０）〜Ｒｘ（ｐ）は、図２を用いて説明したように、共通電極ＴＬ（ｉ）に供給される駆動信号Ｔｘ（ｉ）に応答して発生する。そのため、この実施の形態１において、Ａ／Ｄ変換部１４は、駆動信号Ｔｘ（ｉ）に同期して、タッチ検出信号増幅部１３からの増幅信号をサンプリングし、デジタル信号へ変換するように、制御部１８によって、制御される。
【００３３】
さらに、検出信号処理部ＴＳは、Ａ／Ｄ変換部１４による変換動作によって得られたデジタル信号を受信し、当該デジタル信号に対して信号処理を行う信号処理部１５と、信号処理部１５の処理によって得られた信号から、タッチした位置の座標を抽出する座標抽出部１６とを有している。信号処理部１５で行われる信号処理としては、Ａ／Ｄ変換部１４で行ったサンプリングの周波数よりも高い周波数のノイズ成分を取り除き、タッチ検出パネル部４におけるタッチの有無を検出する処理が含まれる。座標抽出部１６により抽出されたタッチされた位置の座標は、出力端子Ｔｏｕｔから座標情報として出力される。
【００３４】
駆動信号形成部１７は、制御部１８からの制御信号に基づいて、選択信号ＴＰ（０）〜ＴＰ（ｐ）および制御信号ＴＳＶＣＯＭ、ＶＣＯＭＳＥＬ、ｘＶＣＯＭＳＥＬを形成し、駆動電極ドライバ１２へ供給する。制御部１８は、表示制御装置５の制御部９から出力されているタッチ−表示同期信号ＴＳＨＤと外部端子Ｔａを介して選択情報を受信し、このタッチ−表示同期信号ＴＳＨＤがタッチ検出期間を表しているときに、駆動信号形成部１７に対して、選択信号ＴＰ（０）〜ＴＰ（ｐ）および制御信号ＴＳＶＣＯＭ、ＶＣＯＭＳＥＬ、ｘＶＣＯＭＳＥＬを形成する様に制御する。
【００３５】
すなわち、選択情報によって指定される共通電極に対応する選択信号がハイレベルとなり、残りの選択信号がロウレベルとなるように、制御部１８が駆動信号形成部１７を制御する。また、タッチ検出期間において、駆動信号形成部１７が、周期的に電圧が変化する制御信号ＴＳＶＣＯＭと、タッチ検出期間においてハイレベルとなる制御信号ＶＣＯＭＳＥＬを出力するように、制御部１８は、駆動信号形成部１７を制御する。制御信号ｘＶＣＯＭＳＥＬは、制御信号ＶＣＯＭＳＥＬに対して位相反転された制御信号である。すなわち、タッチ検出期間において、制御信号ｘＶＣＯＭＳＥＬはロウレベルとなる。また、制御部１８は、タッチ検出期間において、タッチ検出信号増幅部１３が受信した検出信号Ｒｘ（０）〜Ｒｘ（ｐ）を変換し、タッチした座標が抽出されるように、Ａ／Ｄ変換部１４、信号処理部１５および座標抽出部１６を制御する。
【００３６】
＜モジュール＞
図３（Ａ）は、実施の形態１に係わるタッチ検出機能付き液晶表示装置１を実装したモジュールの概略を示す平面図である。また、図３（Ｂ）は、図３（Ａ）において、Ｂ−Ｂ’の断面図である。
【００３７】
液晶パネル２は、図３（Ａ）において縦方向に延在し、横方向に並列的に配置された信号線ＳＬ（０）〜ＳＬ（ｐ）と、これらの信号線ＳＬ（０）〜ＳＬ（ｐ）の延在方向と同じ方向に延在する複数の共通電極ＴＬ（０）〜ＴＬ（ｐ）とを具備している。すなわち、共通電極ＴＬ（０）〜ＴＬ（ｐ）のそれぞれも、同図において縦方向に延在し、横方向に並列的に配置されている。なお、走査信号Ｖｓ０〜Ｖｓｐが供給される走査線および検出信号Ｒｘ（０）〜Ｒｘ（ｐ）を伝達する検出電極ＲＬ（０）〜ＲＬ（ｐ）は、同図において、横方向に延在し、縦方向に並列的に配置されているが、図３（Ａ）では省略されている。
【００３８】
また、図３（Ａ）において、２−Ｕは、液晶パネル２の短辺（第１辺）を示しており、２−Ｄは、液晶パネル２の辺であって、短辺２−Ｕに対向する短辺（第２辺）を示している。さらに、２−Ｌは、液晶パネル２の長辺を示しており、２−Ｒは、液晶パネル２の辺であって、長辺２−Ｌに対向する長辺を示している。ここで、短辺２−Ｕ、２−Ｄのそれぞれは、走査線および検出線Ｒｘ（０）〜Ｒｘ（ｐ）と平行した辺であり、長辺２−Ｌ、２−Ｒのそれぞれは、信号線ＳＬ（０）〜ＳＬ（ｐ）および共通電極ＴＬ（０）〜ＴＬ（ｐ）と平行した辺である。
【００３９】
図１で説明した表示制御装置５および信号線セレクタ６は、液晶パネル２の短辺２−Ｄに沿って配置されている。すなわち、表示制御装置５および信号線セレクタ６は、信号線ＳＬ（０）〜ＳＬ（ｐ）および共通電極ＴＬ（０）〜ＴＬ（ｐ）と直交する方向に延在している。後で図５を用いて説明するが、信号線セレクタ６は、液晶パネル２と同じ基板に形成されており、信号線ＳＬ（０）〜ＳＬ（ｐ）は、信号線セレクタ６に接続されており、表示制御装置５から出力される画像信号は、信号線セレクタ６を介して液晶パネル２の信号線ＳＬ（０）〜ＳＬ（ｐ）に供給される。ここで、表示制御装置５から信号線セレクタ６へ供給される信号は、画像信号と、選択信号である。液晶パネル２は、カラー表示を行うため、表示制御装置５から信号線セレクタ６へ供給される画像信号は、３原色に相当するＲ（赤）、Ｇ（緑）、Ｂ（青）の画像信号であり、同図ではＲ／Ｇ／Ｂとして示されている。また、同図では、選択信号はＳＥＬ１、ＳＥＬ２として示されている。信号線セレクタ６と信号線ドライバ１１は、信号線ＳＬ（０）〜ＳＬ（ｐ）に関連しているため、信号線回路と見なすことができ、この信号線回路は、液晶パネル２の短辺２−Ｄに沿って配置されていると見なすことができる。
【００４０】
信号線ＳＬ（０）〜ＳＬ（ｐ）のそれぞれは、ガラス基板であるＴＦＴ基板３００の一主面に形成されている。図３に示したモジュールにおいては、１個の共通電極（例えば、共通電極ＴＬ（０））に対して、複数の信号線（例えば、信号線ＳＬ（０）０、ＳＬ（０）１）が対応しており、それぞれの信号線ＳＬ（０）０、ＳＬ（０）１は、画像信号Ｒ、Ｇ、Ｂに対応する３個の信号線を含んでいる。図３（Ｂ）には、信号線ＳＬ（０）０に含まれる画像信号Ｒ、Ｇ、Ｂに対応する信号線ＳＬ（０）０（Ｒ）、ＳＬ（０）０（Ｇ）、ＳＬ（０）０（Ｂ）と、信号線ＳＬ（１）に含まれる画像信号Ｒ、Ｇ、Ｂに対応する信号線ＳＬ（１）０（Ｒ）、ＳＬ（１）０（Ｇ）、ＳＬ（１）０（Ｂ）とが示されている。
【００４１】
ここで、本明細書で用いている、信号線の表記方法について説明をしておく。信号線ＳＬ（０）０（Ｒ）および信号線ＳＬ（１）０（Ｒ）を例にして説明すると、先ず（）内の数字は、対応する共通電極の番号を示しており、次の数字は、対応する共通電極における画素の番号を示しており、（）内の英字は、画素の三原色（Ｒ、Ｇ、Ｂ）を示している。すなわち、信号線ＳＬ（０）０（Ｒ）は、共通電極ＴＬ（０）に対応した信号線であり、０番目の画素で、三原色の赤に対応した画像信号を伝達する信号線を示している。同様に、信号線ＳＬ（１）０（Ｒ）は、共通電極ＴＬ（０）の隣に配置されたところの共通電極ＴＬ（１）に対応した信号線であり、０番目の画素で、三原色の赤に対応した画像信号を伝達する信号線を示している。そのため、図３（Ｂ）に示しているＳＬ（１）１（Ｒ）およびＳＬ（１）１（Ｇ）のそれぞれは、共通電極ＴＬ（１）に対応した信号線であり、１番目の画素の三原色の赤および緑に対応した画像信号を伝達する信号線を表していることになる。
【００４２】
図３（Ｂ）に示すように、画像信号Ｒ、Ｇ、Ｂに対応する信号線ＳＬ（０）０（Ｒ）、ＳＬ（０）０（Ｇ）、ＳＬ（０）０（Ｂ）等の一主面とＴＦＴ基板３００の一主面には、さらに絶縁層３０１が形成され、絶縁層３０１上に共通電極ＴＬ（０）〜ＴＬ（ｐ）が形成されている。これらの共通電極ＴＬ（０）〜ＴＬ（ｐ）のそれぞれには、補助電極ＳＭが形成され、補助電極ＳＭは、共通電極と電気的に接続され、共通電極の電気抵抗の低減を図っている。共通電極ＴＬ（０）〜ＴＬ（ｐ）と補助電極ＳＭの上面には、絶縁層３０２が形成され、絶縁層３０２の上面には画素電極ＬＤＰが形成されている。図３（Ｂ）において、ＣＲ、ＣＢ、ＣＧのそれぞれは、カラーフィルタであり、カラーフィルタＣＲ（赤）、ＣＧ（緑）、ＣＢ（青）と絶縁層３０２との間には液晶層３０３が挟まれている。ここで、画素電極ＬＤＰは、走査線と信号線との交点に設けられており、各画素電極ＬＤＰの上方に、それぞれの画素電極ＬＤＰに対応したカラーフィルタＣＲ、ＣＧあるいはＣＢが設けられている。各カラーフィルタＣＲ、ＣＧ、ＣＢ間にはブラックマトリクスＢＭが設けられている。
【００４３】
図４は、検出電極ＲＬ（０）〜ＲＬ（ｐ）と共通電極ＴＬ（０）〜ＴＬ（ｐ）との関係を示す模式図である。図４（Ａ）に示すように、カラーフィルタＣＲ、ＣＧ、ＣＢの上方面には、ガラス基板であるＣＦガラス基板４００が設けられ、ＣＦガラス基板４００の上方面に、検出電極ＲＬ（０）〜ＲＬ（ｐ）が形成されている。さらに、検出電極ＲＬ（０）〜ＲＬ（ｐ）の上方には偏光板４０１が形成されている。なお、ここでは、図４（Ａ）に示すように、同図において上側から目視される場合を例にしているため、上方面として述べているが、目視の方向が変わることにより、上方面は、下方面あるいは側方面となることは言うまでもない。また、図４（Ａ）においては、検出電極ＲＬ（０）〜ＲＬ（ｐ）と共通電極ＴＬ（０）〜ＴＬ（ｐ）との間に形成される容量素子の電極が破線で描かれている。
【００４４】
図３（Ａ）および図４（Ｃ）に示すように、信号線ＳＬ（０）〜ＳＬ（ｐ）および共通電極ＴＬ（０）〜ＴＬ（ｐ）のそれぞれは、縦方向、すなわち長辺方向に延在し、横方向、すなわち短辺方向に並列に配置されている。これに対して、検出電極ＲＬ（０）〜ＲＬ（ｐ）は、図４（Ｂ）に示すように、ＣＦガラス基板４００に設けられ、共通電極ＴＬ（０）〜ＴＬ（ｐ）と交差するように配置されている。すなわち、図４（Ｂ）において、横方向（短辺）に延在し、縦方向（長辺）に並列的に配置されている。この検出電極ＲＬ（０）〜ＲＬ（ｐ）のそれぞれからの検出信号Ｒｘ（０）〜Ｒｘ（ｐ）が、タッチ制御装置７へ供給される。特に制限されないが、この実施の形態１においては、図４（Ｂ）に示すように、検出信号Ｒｘ（０）〜Ｒｘ（ｐ）は、交互に取り出されている。
【００４５】
平面視で見た場合、図３（Ａ）に示すように、信号線ＳＬ（０）〜ＳＬ（ｐ）と共通電極ＴＬ（０）〜ＴＬ（ｐ）は、平行して、延在していると見なすことができる。なお、「平行」とは、互いに一端から他端に亘るまで交わることなく延在することを言うのであって、一方の線の一部又は全部が他方の線に対して傾いた状態で設けられていたとしても、これらの線が一端から他端まで交わるものでなければ、この状態は「平行」であるとする。
【００４６】
また、信号線セレクタ６および表示制御装置５を基点として、共通電極ＴＬ（０）〜ＴＬ（ｐ）の配置を捉えた場合、共通電極ＴＬ（０）〜ＴＬ（ｐ）のそれぞれは、基点である信号線セレクタ６および表示制御装置５から遠ざかる方向に延在していると見なすことができる。この場合、信号線ＳＬ（０）〜ＳＬ（ｐ）も、基点である信号線セレクタ６および表示制御装置５から遠ざかる方向に延在していると見なすことができる。
【００４７】
なお、図４（Ａ）では、図３（Ｂ）に示した信号線および画素電極ＬＤＰは省略されている。
【００４８】
＜モジュールの全体構成＞
図５は、実施の形態に係わるモジュールの全体構成を示す模式的な平面図であり、タッチ検出機能付き液晶表示装置１を実装したモジュール５００の全体構成を示している。模式的ではあるが、図５は、実際の配置に合わせて描かれている。
【００４９】
また、図５には、実施の形態１だけでなく、後で説明する実施の形態２および３に係わるモジュールの全体構成も示している。実施の形態２および３に係わる構成部分については、後で詳しく説明するため、ここでは簡単に述べるだけにする。
【００５０】
図５において、５０１は、図３で説明したＴＦＴ基板３００における領域を示しており、５０２は、図４で説明したＴＦＴ基板３００とＣＦガラス基板４００とを有する領域を示している。モジュール５００において、ＴＦＴ基板３００は一体となっている。すなわち、領域５０１と領域５０２とにおいて、ＴＦＴ基板３００は共通であり、領域５０２には、図４に示したように、ＴＦＴ基板３００の上方面に、ＣＦガラス基板４００、検出電極ＲＬ（０）〜ＲＬ（ｐ）および偏光板４０１等が、さらに形成されている。
【００５１】
図５において、５００−Ｕは、モジュール５００の短辺を示しており、５００−Ｄは、モジュール５００の辺であって、短辺５００−Ｕと対向する短辺を示している。また、５００−Ｌは、モジュール５００の長辺を示しており、５００−Ｒは、モジュールの辺であって、長辺５００−Ｌに対向する長辺を示している。
【００５２】
領域５０２には、モジュール５００の長辺５００−Ｌ、５００−Ｒに沿って、図１に示したゲートドライバ８が実装されている。すなわち、複数の共通電極ＴＬ（０）〜ＴＬ（ｐ）を挟んだ状態で、モジュール５００の２つの長辺５００−Ｌ、５００−Ｒと液晶パネル２の２つの長辺２−Ｌ、２−Ｒとの間にゲートドライバ８が実装されている。この場合、図１において説明した走査線は、モジュールの短辺５００−Ｕ、５００−Ｄに沿って延在し、長辺５００−Ｌ、５００−Ｒ方向に並列に配置されており、ゲートドライバ８に接続されている。また、領域５０２には、先に説明した信号線セレクタ６が実装されている。この実施の形態１においては、信号線セレクタ６は、液晶パネル２の短辺２−Ｄに沿って配置されている。
【００５３】
一方、領域５０１には、表示制御装置５が実装されている。表示制御装置５は、この実施の形態１においては、半導体集積回路装置（以下、半導体装置とも称する）と、複数の電子部品とによって構成されている。電子部品としては、電界効果型トランジスタ（以下、ＭＯＳＦＥＴと称する）が含まれている。複数のＭＯＳＦＥＴは、ＴＦＴ基板３００に形成されており、これらの複数のＭＯＳＦＥＴは、表示制御装置５を構成する半導体装置によって覆われるＴＦＴ基板３００の領域に形成されている。半導体装置によって覆われた複数のＭＯＳＦＥＴにより構成される第２回路ＣＧＷ２は、後で詳しく説明するが、実施の形態によってそれぞれ異なる。この実施の形態１に係わる第２回路ＧＣＷ２の構成は、後で図７〜図９を用いて詳しく説明する。第２回路ＧＣＷ２を覆うように実装された半導体装置は、図１に示した制御部９および信号線ドライバ１１（図１）を有している。
【００５４】
第２回路ＧＣＷ２を覆うように実装された半導体装置は、図５においては、ＤＤＩＣとして示されている。この半導体装置ＤＤＩＣは、信号線ＳＬ（０）〜ＳＬ（ｐ）を駆動する信号線ドライバ１１（図１）を有しているため、以下、ドライバ用半導体装置と称する。この実施の形態１においては、特に制限されないが、ドライバ用半導体装置ＤＤＩＣは、１個である。この１個のドライバ用半導体装置ＤＤＩＣと、ドライバ用半導体装置ＤＤＩＣとＴＦＴ基板３００との間に挟まれて形成された複数のＭＯＳＦＥＴにより構成された第２回路ＣＧＷ２と、後で述べる第１回路ＣＧＷ１とによって、図１に示した表示制御装置５が構成されている。しかしながら、ドライバ用半導体装置ＤＤＩＣは、図１に示した信号線ドライバ１１のみを有し、別の半導体装置が図１に示した制御部９を有するようにしてもよい。
【００５５】
ドライバ用半導体装置ＤＤＩＣにおける信号線ドライバ１２（図１）の出力は、信号線セレクタ６を介して、信号線ＳＬ（０）〜ＳＬ（ｐ）に供給される。第２回路ＣＧＷ２は、タッチ制御装置７からの選択信号ＴＰ（０）〜ＴＰ（ｐ）、制御信号ＶＣＯＭＳＥＬ、ｘＶＣＯＭＳＥＬを受け、タッチ検出期間において、選択信号ＴＰ（０）〜ＴＰ（ｐ）を出力する。第２回路ＣＧＷ２から出力された選択信号ＴＰ（０）〜ＴＰ（ｐ）は、共通電極ＴＬ（０）〜ＴＬ（ｐ）のそれぞれに１対１で対応した制御線ＳＳ（０）〜ＳＳ（ｐ）を介して、第１回路ＣＧＷ１へ供給される。この制御線ＳＳ（０）〜ＳＳ（ｐ）は、液晶パネル２内に配置されている。
【００５６】
実施の形態１においては、複数の信号線ＳＬ（０）〜ＳＬ（ｐ）のうちの少なくとも一部の信号線が、タッチ検出期間において、制御線ＳＳ（０）〜ＳＳ（ｐ）として用いられる。すなわち、信号線ＳＬ（０）〜ＳＬ（ｐ）のそれぞれを構成する複数の信号線のうちの少なくとも一部の信号線が、制御線ＳＳ（０）〜ＳＳ（ｐ）として兼用される。そのため、第２回路ＣＧＷ２の出力は、タッチ検出期間において、信号線セレクタ６を介して、一部の信号線に伝達され、第１回路ＣＧＷ１へ供給される。
【００５７】
図５では、省略されているが、ドライバ用半導体装置ＤＤＩＣは、タイミング信号をゲートドライバ８へ供給する。ゲートドライバ８は、供給されたタイミング信号に従って、走査信号Ｖｓ０〜Ｖｓｐを形成し、図示しない走査線へ供給する。
【００５８】
図４において説明した検出電極ＲＬ（０）〜ＲＬ（ｐ）は、モジュール５００の長辺５００−Ｌ、５００−Ｒと表示パネル２の長辺２−Ｌ、２−Ｒとの間に配置された配線を介して、フレキシブルケーブルＦＢ１に接続されている。フレキシブルケーブルＦＢ１には、図１で説明したタッチ制御装置７が実装されており、フレキシブルケーブルＦＢ１内の配線を介して、タッチ制御装置７に検出電極ＲＬ（０）〜ＲＬ（ｐ）における検出信号Ｒｘ（０）〜Ｒｘ（ｐ）が供給される。また、領域５０１には、フレキシブルケーブルＦＢ２が接続されており、ドライバ用半導体装置ＤＤＩＣおよび第２回路ＣＧＷ２の端子はフレキシブルケーブルＦＢ２内の配線に接続されている。
【００５９】
さらに、フレキシブルケーブルＦＢ２には、コネクタＣＮが実装されている。このコネクタＣＮを介して、フレキシブルケーブルＦＢ１とＦＢ２とは電気的に接続されている。このコネクタＣＮを介して、ドライバ用半導体装置ＤＤＩＣおよび第２回路ＣＧＷ２とタッチ制御装置７との間で複数の信号の送受信が行われる。特に制限されないが、この実施の形態１においては、タッチ制御装置７は、１個の半導体装置により構成されている。ドライバ用半導体装置と区別するために、タッチ制御装置７を構成する半導体装置はタッチ用半導体装置７と称する。
【００６０】
図５には、ドライバ用半導体装置ＤＤＩＣおよび第２回路ＣＧＷ２とタッチ用半導体装置７との間で送受信される複数の信号のうち、タッチ−表示同期信号ＴＳＨＤと、制御信号ＴＳＶＣＯＭ、ＶＣＯＭＳＥＬ、ｘＶＣＯＭＳＥＬのみが示されている。タッチ−表示同期信号ＴＳＨＤは、図１で説明したように、表示期間とタッチ検出期間を識別する制御信号である。制御信号ＴＳＶＣＯＭは、既に説明したように、タッチ検出期間において、周期的に電圧が変化するクロック信号である。このクロック信号である制御信号ＴＳＶＣＯＭは、タッチ検出期間において、タッチを検出するように選択された選択共通電極ＴＬ（ｉ）に駆動信号Ｔｘ（ｉ）として供給される。そのため、制御信号ＴＳＶＣＯＭは、共通駆動信号と見なすこともできる。
【００６１】
この実施の形態１においては、制御信号（共通駆動信号）ＴＳＶＣＯＭ、制御信号ＶＣＯＭＳＥＬ、ｘＶＣＯＭＳＥＬは、コネクタＣＮを介して、タッチ用半導体装置７から信号配線５０３に供給される。この信号配線５０３は、液晶パネル２を囲むように配置されている。すなわち、モジュール５００の長辺５００−Ｌ、５００−Ｒと液晶パネル２の長辺２−Ｌ、２−Ｒとの間の領域および、モジュール５００の短辺５００−Ｕ、５００−Ｄと液晶パネル２の短辺２−Ｕ、２−Ｄとの間の領域に配置されている。この信号配線５０３は、第１回路ＣＧＷ１に接続され、この信号配線５０３を介して、制御信号（共通駆動信号）ＴＳＶＣＯＭ、制御信号ＶＣＯＭＳＥＬ、ｘＶＣＯＭＳＥＬが、タッチ用半導体装置７から第１回路ＣＧＷ１へ供給される。
【００６２】
図５に示したモジュール５００においては、表示パネル２の２個の短辺２−Ｕ、２−Ｄのそれぞれに沿って、第１回路ＣＧＷ１、第２回路ＣＧＷ２が配置されている。すなわち、モジュール５００は、表示パネル２の一方の短辺２−Ｕに沿って配置された第１回路ＣＧＷ１と、表示パネル２の他方の短辺２−Ｄに沿って配置された第２回路ＣＧＷ２を備えている。図５では、表示パネル２の他方の短辺２−Ｄに沿って配置された第２回路ＣＧＷ２は、ドライバ用半導体装置ＤＤＩＣによって覆われている。また、表示パネル２の一方の短辺２−Ｕに沿って配置された第１回路ＣＧＷ１は、表示パネル２の短辺２−Ｕとモジュール５００の短辺５００−Ｕとの間に形成されている。特に制限されないが、第１回路ＣＧＷ１も、ＴＦＴ基板３００に形成されたＭＯＳＦＥＴにより構成されている。
【００６３】
この実施の形態１において、第２回路ＣＧＷ２は、タッチ検出期間において、選択信号ＴＰ（０）〜ＴＰ（ｐ）を、液晶パネル２に配置された制御線ＳＳ（０）〜ＳＳ（ｐ）を介して、第１回路ＣＧＷ１へ供給する。第１回路ＣＧＷ１は、供給された選択信号ＳＳ（０）〜ＳＳ（ｐ）に従って、選択共通電極には制御信号ＴＳＶＣＯＭを供給し、非選択共通電極には所定の電圧を供給する。すなわち、タッチ検出期間においては、第１回路ＣＧＷ１から共通電極ＴＬ（０）〜ＴＬ（ｐ）へ駆動信号Ｔｘ（０）〜Ｔｘ（ｐ）が供給されることになる。そのため、実施の形態１においては、この第１回路ＣＧＷ１を駆動電極回路（第１駆動電極回路）と見なすことができる。
【００６４】
第２回路ＣＧＷ２は、タッチ検出期間において、選択信号ＴＰ（０）〜ＴＰ（ｐ）を制御線ＳＳ（０）〜ＳＳ（ｐ）へ伝達すればよいため、駆動能力が低くてもよい。そのため、第２回路ＣＧＷ２を形成する面積を小さくすることが可能となる。
【００６５】
タッチ検出機能付き液晶表示装置１の額縁（上下額縁）の大きさは、モジュール５００の短辺５００−Ｄと表示パネル２の短辺２−Ｄとの間の領域の大きさに依存する。狭額縁化のために、ドライバ用半導体装置ＤＤＩＣの短辺ＤＤＬは、短くされる。実施の形態１においては、第２回路ＣＧＷ２によって占有される領域を小さくすることが可能であるため、ドライバ用半導体装置ＤＤＩＣによって第２回路ＣＧＷ２を覆う状態を維持しながら、狭額縁化を図ることが可能となる。
【００６６】
さらに、この実施の形態１においては、選択信号ＴＰ（０）〜ＴＰ（ｐ）を伝達する信号配線を、モジュール５００の長辺５００−Ｌ、５００−Ｒと液晶パネル２の長辺２−Ｌ、２−Ｒとの間の領域に配置せずに、液晶パネル２に配置された制御線を用いている。そのため、モジュール５００の長辺５００−Ｌ、５００−Ｒと液晶パネル２の長辺２−Ｌ、２−Ｒとの間の領域の大きさに依存する額縁（横側額縁）が大きくなるのを抑制することが可能となる。
【００６７】
これにより、狭額縁化が可能な液晶表示装置１を提供することが可能となる。
【００６８】
さらに、実施の形態１においては、信号線ＳＬ（０）〜ＳＬ（ｐ）の少なくとも一部の信号線が、タッチ検出期間においては、制御線ＳＳ（０）〜ＳＳ（ｐ）として用いられるため、新たな配線を液晶パネル２に設ける必要がない。これにより、コストが上昇するのを抑制することができる。
【００６９】
特に制限されないが、ドライバ用半導体装置ＤＤＩＣは、Ｃｈｉｐ  Ｏｎ  Ｇｌａｓｓ（ＣＯＧ）として形成する。また、信号線セレクタ６およびゲートドライバ８のそれぞれも、半導体装置によって構成してもよい。この場合も、これらの半導体装置は、ＣＯＧとして形成してもよい。図５において、液晶パネル２の４辺に示したＲ、Ｇ、Ｂは、１つの画素を構成する副画素を示している。
【００７０】
＜液晶素子配列＞
次に、液晶パネル２の回路構成を説明しておく。図６は、液晶パネル２の回路構成を示す回路図である。図６において、一点鎖線で示した複数個のＳＰｉｘのそれぞれは、１個の液晶表示素子（画素）を示している。液晶表示素子（画素）ＳＰｉｘは、液晶パネル２において、行列状に配置され、液晶素子配列（画素配列）ＬＣＤを構成している。液晶素子配列（画素配列）ＬＣＤは、各行に配置され、行方向に延在する複数の走査線ＧＬ（０）〜ＧＬ（ｐ）と、各列に配置され、列方向に延在する信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）とを具備している。また、液晶素子配列ＬＣＤは、各列に配置され、列方向に延在する共通電極ＴＬ（０）〜ＴＬ（ｐ）を有している。図６には、走査線ＧＬ（０）〜ＧＬ（２）と、信号線ＳＬ（０）０（Ｒ）、ＳＬ（０）０（Ｇ）、ＳＬ（０）０（Ｂ）〜ＳＬ（１）０（Ｒ）、ＳＬ（１）０（Ｇ）、ＳＬ（１）０（Ｂ）と、共通電極ＴＬ（０）、ＴＬ（１）に関する液晶素子配列（画素配列）の部分が示されている。
【００７１】
図６においては、説明を容易にするために、共通電極ＴＬ（０）、ＴＬ（１）が、それぞれの列に配置されているように、示されているが、図３（Ａ）および（Ｂ）において説明したように、複数の信号線に対して１個の共通電極が配置されているものと理解されたい。勿論、図６に示すように、液晶素子配列ＬＣＤのそれぞれの列に共通電極を配置してもよい。いずれにおいても、共通電極ＴＬ（０）〜ＴＬ（ｐ）のそれぞれは、信号線と平行するように、液晶素子配列ＬＣＤの列に配置されている。
【００７２】
液晶素子配列ＬＣＤの行と列の交点に配置されたそれぞれの液晶表示素子（画素）ＳＰｉｘは、ＴＦＴガラス基板３００に形成された薄膜トランジスタＴｒと、薄膜トランジスタＴｒのソースに一方の端子が接続された液晶素子ＬＣとを具備している。液晶素子配列ＬＣＤにおいて、同じ行に配置された複数の液晶表示素子ＳＰｉｘの薄膜トランジスタＴｒのゲートは、同じ行に配置されている走査線に接続され、同じ列に配置された複数の液晶表示素子ＳＰｉｘの薄膜トランジスタＴｒのドレインは、同じ列に配置された信号線に接続されている。言い換えるならば、複数の液晶表示素子ＳＰｉｘが、行列状に配置され、各行には、走査線が配置され、走査線には、対応する行に配置された複数の液晶表示素子ＳＰｉｘが接続されている。また、各列には信号線が配置され、信号線には、対応する列に配置された液晶表示素子ＳＰｉｘが接続されている。また、同じ列に配置された複数の液晶表示素子ＳＰｉｘの液晶素子ＬＣの他端は、列に配置された共通電極に接続されている。
【００７３】
図６に示した例で説明すれば、同図において、最上段の行に配置された複数の液晶表示素子ＳＰｉｘのそれぞれの薄膜トランジスタＴｒのゲートは、最上段の行に配置された走査線ＧＬ（０）に接続されている。また、同図において、最も左側の列に配置された複数の液晶表示素子ＳＰｉｘのそれぞれの薄膜トランジスタＴｒのドレインは、最も左側の列に配置された信号線ＳＬ（０）０（Ｒ）に接続されている。また、最も左側に列に配置された複数の液晶表示素子ＳＰｉｘのそれぞれの液晶素子の他端は、図６においては、最も左側に配置された共通電極ＴＬ（０）に接続されている。先にも述べたように、１個の共通電極が、複数の信号線に対応している。そのため、図６に示した例では、共通電極ＴＬ（０）は、３列に対して共通の共通電極となっていると見なすことができる。
【００７４】
１個の液晶表示素子ＳＰｉｘが、先に述べた１個の副画素（サブ画素）に対応する。従って、３個の液晶表示素子ＳＰｉｘによって、Ｒ、Ｇ、Ｂの３原色の副画素が構成される。図６では、同じ行に、連続的に配置された３個の液晶表示素子ＳＰｉｘによって、１つの画素Ｐｉｘが形成され、当該画素Ｐｉｘにてカラーが表現されるものとなる。すなわち、図６において、６００Ｒとして示されている液晶表示素子ＳＰｉｘが、Ｒ（赤）の副画素ＳＰｉｘ（Ｒ）とされ、６００Ｇとして示されている液晶表示素子ＳＰｉｘが、Ｇ（緑）の副画素ＳＰｉｘ（Ｇ）とされ、６００Ｂとして示されている液晶表示素子ＳＰｉｘが、Ｂ（青）の副画素ＳＰｉｘ（Ｂ）とされる。そのために、６００Ｒとして示されている副画素ＳＰｉｘ（Ｒ）には、カラーフィルタとして赤色のカラーフィルタＣＲが設けられており、６００Ｇの副画素ＳＰｉｘ（Ｇ）には、カラーフィルタとして青色のカラーフィルタＣＧが設けられており、６００Ｂの副画素ＳＰｉｘ（Ｂ）には、カラーフィルタとして緑色のカラーフィルタＣＢが設けられている。
【００７５】
また、１つの画素を表す信号のうち、Ｒに対応する画像信号が、信号線セレクタ６から、信号線ＳＬ（０）０（Ｒ）に供給され、Ｇに対応する画像信号が、信号線セレクタ６から、信号線ＳＬ（０）０（Ｇ）に供給され、Ｂに対応する画像信号が、信号線セレクタ６から、信号線ＳＬ（０）０（Ｂ）に供給される。
【００７６】
各液晶表示素子ＳＰｉｘにおける薄膜トランジスタＴｒは、特に制限されないが、Ｎチャンネル型のＭＯＳＦＥＴである。走査線ＧＬ（０）〜ＧＬ（ｐ）には、例えばこの順番で順次ハイレベルとなるパルス状の走査信号Ｖｓ０〜Ｖｓｐ（図１）が、ゲートドライバ８から供給される。すなわち、液晶素子配列ＬＣＤにおいて、上段の行に配置された走査線ＧＬ（０）から下段の行に配置された走査線ＧＬ（ｐ）に向かって、走査線の電圧が、順次ハイレベルとなる。これにより、液晶素子配列ＬＣＤにおいて、上段の行に配置された液晶表示素子ＳＰｉｘから下段の行に配置された液晶表示素子ＳＰｉｘに向かって、液晶表示素子ＳＰｉｘにおける薄膜トランジスタＴｒが、順次導通状態となる。
【００７７】
薄膜トランジスタＴｒが導通状態となることにより、そのとき信号線に供給されている画像信号が、導通状態の薄膜トランジスタを介して、液晶素子ＬＣに供給される。液晶素子ＬＣに供給された画像信号の値に従って、液晶素子ＬＣにおける電界が変化し、その液晶素子ＬＣを透過する光の変調が変わる。これにより、走査線ＧＬ（０）〜ＧＬ（ｐ）に供給する走査信号Ｖｓ０〜Ｖｓｐに同期して、信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）に供給した画像信号に応じたカラー画像が、液晶パネル２に表示されることになる。
【００７８】
ここで、図５に示したモジュール５００の配置と、図６に示した回路図との対応を述べておくと、次のようになる。
【００７９】
液晶素子配列（画素配列）ＬＣＤは、その配列の行と実質的に平行な１対の辺と、その配列の列と実質的に平行な１対の辺とを有している。液晶素子配列ＬＣＤの行と平行な１対の辺が、図５に示した液晶パネル２の短辺２−Ｕ（第１辺）、２−Ｄ（第２辺）に対応し、液晶素子配列ＬＣＤの列と平行な１対の辺が、液晶パネル２の長辺２−Ｌ、２−Ｒに対応する。
【００８０】
液晶素子配列ＬＣＤにおいて、行と平行な１対の辺のうちの一方の辺、すなわち、液晶パネルの一方の短辺２−Ｄ（第２辺）に沿って、図３（Ａ）、図４（Ｃ）および図５に示されているように、信号セレクタ６、ドライバ用半導体装置ＤＤＩＣおよび第２回路ＣＧＷ２が配置されている。液晶素子配列ＬＣＤにおいては、この一方の辺（液晶パネル２の短辺２−Ｄ）において、信号線セレクタ６を介して、ドライバ用半導体装置ＤＤＩＣ内の信号線ドライバ１１からの画像信号が、信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）に供給される。また、この一方の辺（液晶パネル２の短辺５０１−Ｄ）に沿って配置された第２回路ＣＧＷ２からの選択信号ＴＰ（０）〜ＴＰ（ｐ）が、信号線ＳＬ（０）〜ＳＬ（ｐ）を介して、第１回路（第１駆動電極回路）ＣＧＷ１へ供給される。この第１回路（第１駆動電極回路）ＣＧＷ１は、液晶素子配列（画素配列）ＬＣＤの行と平行な他方の辺（液晶パネル２の短辺２−Ｕ（第１辺））に沿って配置されており、共通電極ＴＬ（０）〜ＴＬ（ｐ）の一方の端部に供給される。
【００８１】
また、液晶素子配列ＬＣＤにおいて、列と平行な１対の辺、すなわち、液晶パネル２の１対の長辺２−Ｌ、２−Ｒに沿って、ゲートドライバ８が配置されている。液晶素子配列（画素配列）ＬＣＤにおいては、この１対の辺（２−Ｌ、２−Ｒ）において、走査線ＧＬ（０）〜ＧＬ（ｐ）にゲートドライバ８からの走査信号Ｖｓ０〜Ｖｓｐが供給される。
【００８２】
この実施の形態１に係わる液晶表示装置１は、インセルタイプであるため、共通電極ＴＬは、液晶表示素子ＳＰｉｘの一方の電極であり、表示期間においては、所定の電圧が供給され、タッチ検出期間においては、第１回路（第１駆動電極回路）ＳＷ１から駆動信号が供給される。薄膜トランジスタＴｒのドレインを、液晶表示素子ＳＰｉｘの他方の電極と見た場合には、表示期間においては、液晶表示素子ＳＰｉｘの他方の電極は、信号線であり、画像信号が供給される。また、この実施の形態１においては、信号線ＳＬ（０）〜ＳＬ（ｐ）のうちの一部の信号線が、タッチ検出期間に、第２回路ＣＧＷ２から第１回路（第１駆動電極回路）ＣＧＷ１へ選択信号ＴＰ（０）〜ＴＰ（ｐ）を伝達するための制御線ＳＳ（０）〜ＳＳ（ｐ）として用いられる。
【００８３】
１個の画素を構成する副画素の数が、３個の場合を説明したが、これに限定されるものではなく、例えば上記ＲＧＢに加えて白（Ｗ）や黄色（Ｙ）、又はＲＧＢの補色（シアン（Ｃ）、マゼンタ（Ｍ）、イエロー（Ｙ））のいずれか１色又は複数色を加えた副画素で１つの画素としてもよい。
【００８４】
＜液晶表示装置１の構成＞
図７は、実施の形態１に係わる液晶表示装置１の構成を示すブロック図である。図７には、図５に示したモジュール５００のうち、共通電極、第１回路ＣＧＷ１、第２回路ＣＧＷ２およびドライバ用半導体装置ＤＤＩＣが、詳しく示されている。模式的にではあるが、図７は、実際の配置に合わせて描かれている。
【００８５】
同図において、ＴＬ（０）〜ＴＬ（ｐ）は、共通電極であり、図７には、共通電極ＴＬ（０）、ＴＬ（１）およびＴＬ（ｐ）が代表として示されている。また、図７において、共通電極ＴＬ（０）、ＴＬ（１）およびＴＬ（ｐ）上に描かれている破線は信号線を示しており、一点鎖線は、走査線ＧＬ（０）〜ＧＬ（ｐ）を示している。
【００８６】
図７において、ＳＰ１１〜ＳＰ１６は、それぞれＴＦＴ基板３００に形成された端子を示しており、端子ＳＰ１１〜ＳＰ１６により、１個の共通電極に対応した端子群（ＳＰ１１〜ＳＰ１６）が構成されている。図７には、３個の共通電極ＴＬ（０）、ＴＬ（１）およびＴＬ（ｐ）が示されているため、３組の端子群（ＳＰ１１〜ＳＰ１６）が示されている。端子ＳＰ１１〜ＳＰ１６は、ドライバ用半導体装置ＤＤＩＣの○印で示した端子に接続され、表示期間においては、ドライバ用半導体装置ＤＤＩＣの端子（○印）から画像信号が供給される。また、ドライバ用半導体装置ＤＤＩＣは、タッチ検出期間において、○印の端子をハイインピーダンス状態にする。
【００８７】
信号線セレクタ６（図１）は、複数の単位信号線セレクタ６（０）〜６（ｐ）により構成されている。単位信号線セレクタ６（０）〜６（ｐ）のそれぞれは、互いに同じ構成を有しており、それぞれの単位信号線セレクタは、選択信号ＳＥＬ１、ＳＥＬ２の電圧に従って、端子ＳＰ１１〜ＳＰ１６を、この端子ＳＰ１１〜ＳＰ１６に対応した共通電極上に配置された信号線に接続する。図７において、最も左側に描いた単位信号線セレクタ６（０）を例にして説明すると、単位信号線セレクタ６（０）は、端子ＳＰ１１を、選択信号ＳＥＬ１、ＳＥＬ２の電圧に従って、信号線ＳＬ（０）０（Ｒ）またはＳＬ（０）０（Ｂ）に接続する。例えば、選択信号ＳＥＬ１またはＳＥＬ２の電圧がハイレベルであれば、端子ＳＰ１１を信号線ＳＬ（０）０（Ｒ）またはＳＬ（０）０（Ｂ）に接続する。
【００８８】
これにより、表示期間において、選択信号ＳＥＬ１およびＳＥＬ２を選択的にハイレベルにすることにより、ドライバ用半導体装置ＤＤＩＣから端子ＳＰ１１に供給されている画像信号を信号線ＳＬ（０）０（Ｒ）またはＳＬ（０）０（Ｂ）へ供給することが可能となる。残りの端子ＳＰ１２〜ＳＰ１６についても同様である。表示期間において、ドライバ用半導体装置ＤＤＩＣは、端子ＳＰ１１〜ＳＰ１６のそれぞれに、時分割的に画像信号を供給し、選択信号ＳＥＬ１、ＳＥＬ２の電圧を選択的にハイレベルとすることにより、適切な信号線へ画像信号を供給することが可能となる。
【００８９】
一方、タッチ検出期間において、ドライバ用半導体装置ＤＤＩＣは、選択信号ＳＥＬ１、ＳＥＬ２のそれぞれを、ハイレベルにする。これにより、単位信号線セレクタ６（０）は、端子ＳＰ１１を、信号線ＳＬ（０）０（Ｒ）およびＳＬ（０）０（Ｂ）に接続する。単位信号線セレクタ６（０）は、残りの端子ＳＰ１２〜ＳＰ１６のそれぞれについても、同様に、それぞれ２個の信号線を１個の端子に接続する。
【００９０】
単位信号線セレクタ６（０）を例にして説明したが、残りの単位信号線セレクタ６（１）〜６（ｐ）についても同様である。
【００９１】
この実施の形態２において、第２回路ＣＧＷ２は、複数の単位選択回路ＵＣＧ２（０）〜ＵＣＧ２（ｐ）により構成され、第１回路（第１駆動電極回路）ＣＧＷ１は、複数の単位駆動電極回路ＵＣＧ１（０）〜ＵＣＧ１（ｐ）により構成されている。複数の単位選択回路ＵＣＧ２（０）〜ＵＣＧ２（ｐ）のそれぞれは、互いに同じ構成を有しており、複数の単位駆動電極回路ＵＣＧ（０）〜ＵＣＧ１（ｐ）のそれぞれも互いに同じ構成を有している。単位選択回路ＵＣＧ２（０）〜ＵＣＧ２（ｐ）および単位駆動電極回路ＵＣＧ１（０）〜ＵＣＧ１（ｐ）のそれぞれは、共通電極ＴＬ（０）〜ＴＬ（ｐ）に１対１で対応している。図７に示した単位選択回路ＵＣＧ２（０）、ＵＣＧ２（１）およびＵＣＧ２（ｐ）と、単位駆動電極回路ＵＣＧ１（０）、ＵＣＧ１（１）およびＵＣＧ１（ｐ）を例にして説明すると、単位選択回路ＵＣＧ２（０）と単位駆動電極回路ＵＣＧ１（０）は、共通電極ＴＬ（０）に対応している。同様に、単位選択回路ＵＣＧ２（１）と単位駆動電極回路ＵＣＧ１（１）は、共通電極ＴＬ（１）に対応し、単位選択回路ＵＣＧ２（ｐ）と単位駆動電極回路ＵＣＧ１（ｐ）は、共通電極ＴＬ（ｐ）に対応している。
【００９２】
次に、単位選択回路ＵＣＧ２（０）と、これに対応した単位駆動電極回路ＵＣＧ１（０）とを例にして、対応する共通電極ＴＬ（０）との関係を説明する。単位選択回路ＵＣＧ２（０）は、スイッチ回路ＳＷ２を備えている。スイッチ回路ＳＷ２には、制御信号ＶＣＯＭＳＥｌ、ｘＶＣＯＭＳＥＬおよび共通電極ＴＬ（０）に対応する選択信号ＴＰ（０）が供給される。スイッチ回路ＳＷ２は、制御信号ＶＣＯＭＳＥＬ、ｘＶＣＯＭＳＥＬによって、タッチ検出期間において導通状態（オン状態）となり、選択信号ＴＰ（０）を端子ＳＰ１６へ伝達する。これにより、選択信号ＴＰ（０）は、制御線ＳＳ（０）へ伝達される。この実施の形態１において、制御線ＳＳ（０）は、信号線ＳＬ（０）２（Ｂ）であり、表示期間においては、青（Ｂ）を表す画像信号が、単位信号線セレクタ６（０）を介してドライバ用半導体装置ＤＤＩＣから供給される。なお、図７において、信号線ＳＬ（０）２（Ｂ）は、制御線ＳＳ（０）と時分割的に使われることを示すために、ＳＳ（０）［ＳＬ（０）２（Ｂ）］として示されている。
【００９３】
共通電極ＴＬ（０）に対応する単位駆動電極回路ＵＣＧ１（０）は、スイッチ回路ＳＷ１と単位駆動電極ドライバ１２（０）とを有している。スイッチ回路ＳＷ１は、制御線ＳＳ（０）と単位駆動電極ドライバ１２（０）との間に接続され、制御信号ＶＣＯＭＳＥＬにより制御される。このスイッチ回路ＳＷ１は、タッチ検出期間において、制御線ＳＳ（０）と単位駆動電極ドライバ１２（０）とを電気的に接続し、表示期間においては、制御線ＳＳ（０）［ＳＬ（０）２（Ｂ）］とを電気的に分離する。言い換えるならば、スイッチ回路ＳＷ１は、表示期間においては、制御線ＳＳ（０）［ＳＬ（０）２（Ｂ）］と単位駆動電極ドライバ１２（０）とを電気的に分離する分離回路である。
【００９４】
この実施の形態１において、表示期間では、ドライバ用半導体装置ＤＤＩＣからの画像信号が、端子ＳＰ１１〜ＳＰ１６へ供給され、単位信号線セレクタ６（０）を介して、信号線ＳＬ（０）に供給される。図７の例では、信号線ＳＬ（０）０（Ｒ）、ＳＬ（０）０（Ｂ）、ＳＬ（０）２（Ｒ）、ＳＬ（２）２（Ｂ）に供給され、画像信号に従って画像の表示が行われる。
【００９５】
一方、タッチ検出期間においては、ドライバ用半導体装置ＤＤＩＣは、その出力端子（○印）をハイインピーダンス状態にする。このとき、制御信号ＶＣＯＭＳＥＬ、ｘＶＣＯＭＳＥＬにより、単位選択回路ＵＣＧ２（０）を構成するスイッチ回路ＳＷ２が導通状態となり、タッチ用半導体装置７から出力されている選択信号ＴＰ（０）が、スイッチ回路ＳＷ２を介して、制御線ＳＳ（０）［ＳＬ（０）２（Ｂ）］に伝達され、この制御線ＳＳ（０）を介して選択信号ＴＰ（０）は、単位駆動電極回路ＵＣＧ１（０）へ供給される。単位駆動電極回路ＵＣＧ１（０）においては、タッチ検出期間において、スイッチ回路ＳＷ１は、制御信号ＶＣＯＭＳＥＬによって導通状態となり、供給された選択信号ＴＰ（０）を単位駆動電極ドライバ１２（０）へ供給する。単位駆動電極ドライバ１２（０）は、供給された選択信号ＴＰ（０）が、共通電極を選択共通電極として指定している否か従って、駆動電極ＴＬ（０）を信号配線５０３または電圧配線７００へ接続する。ここで、信号配線５０３には、共通駆動信号である制御信号ＴＳＶＣＯＭが供給されており、電圧配線７００には、接地電圧に相当する電圧ＶＣＯＭＤＣが供給されている。
【００９６】
選択信号ＴＰ（０）が、対応する共通電極ＴＬ（０）を選択共通電極として指定している場合、単位駆動電極ドライバ１２（０）は、信号配線５０３を共通電極ＴＬ（０）に接続する。一方、選択信号ＴＰ（０）が、対応する共通電極ＴＬ（０）を非選択共通電極として指定している場合、単位駆動電極ドライバ１２（０）は、電圧配線７００を共通電極ＴＬ（０）に接続する。これにより、タッチ検出期間において、共通電極ＴＬ（０）が選択共通電極として指定されている場合には、周期的に電圧が変化する制御信号ＴＳＶＣＯＭが、駆動信号Ｔｘ（０）として供給されることになる。その結果、この共通電極ＴＬ（０）の近傍がタッチされているか否かの検出を行うことが可能となる。一方、タッチ検出期間において、共通電極ＴＬ（０）が非選択共通電極として指定されている場合には、この共通電極ＴＬ（０）には、接地電圧である電圧ＶＣＯＭＤＣが供給されることになる。
【００９７】
単位選択回路ＵＣＧ２（０）を構成するスイッチ回路ＳＷ２は、表示期間においては、ハイインピーダンス状態となる。また、表示期間においては、スイッチ回路ＳＷ１は分離回路として動作する。これにより、端子ＳＰ１６に供給された画像信号は、信号線ＳＬ（０）２（Ｂ）へ伝達することが可能であり、信号線ＳＬ（０）２（Ｂ）に接続された画素に画像信号を供給することが可能となる。
【００９８】
他の単位選択回路ＵＣＧ２（１）〜ＵＣＧ２（ｐ）および単位駆動電極回路ＵＣＧ１（１）〜ＵＣＧ（ｐ）のそれぞれについても、上記した単位選択回路ＵＣＧ２（０）および単位駆動電極回路ＵＣＧ１（０）と同様に動作する。なお、図７に示した例では、共通電極ＴＬ（１）に対応した信号線のうち信号線ＳＬ（１）２（Ｂ）が、タッチ検出期間において制御信号ＳＳ（１）として用いられる。また、共通電極ＴＬ（ｐ）に対応した信号線のうち信号線ＳＬ（ｐ）２（Ｂ）が、タッチ検出期間において制御信号ＳＳ（ｐ）として用いられる。
【００９９】
この実施の形態１においては、単位駆動電極ドライバ１２（０）〜１２（ｐ）によって、図１に示した駆動電極ドライバ１２が構成されていると見なすことができる。
【０１００】
＜単位選択回路および単位駆動電極回路の構成＞
次に、図７で示した単位選択回路ＵＣＧ２（０）〜ＵＣＧ２（ｐ）および単位駆動電極回路ＵＣＧ１（０）〜ＵＣＧ１（ｐ）の構成を説明する。ここでは、単位選択回路ＵＣＧ２（０）および単位駆動電極回路ＵＣＧ１（０）を代表として説明する。
【０１０１】
図８は、実施の形態１に係わる液晶表示装置１の要部の構成を示す回路図である。同図には、単位選択回路ＵＣＧ２（０）および単位駆動電極回路ＵＣＧ１（０）の構成と、共通電極ＴＬ（０）と、２行分の画素が示されている。図面が複雑になるのを避けるために、図８には、端子ＳＰ１１〜ＳＰ１６のうち、端子ＳＰ１１〜ＳＰ１３、ＳＰ１６のみが示されている。また、信号線についても、複数の信号線のうち、信号線ＳＬ（０）０（Ｒ）、ＳＬ（０）０（Ｇ）、ＳＬ（０）０（Ｂ）および信号線ＳＬ（０）２（Ｂ）のみが示されている。ここで、信号線ＳＬ（０）２（Ｂ）は、タッチ検出期間においては、制御線ＳＳ（０）として機能するため、ＳＳ（０）［ＳＬ（０）２（Ｂ）］として示されている。なお、同図において、Ｒ、Ｇ、Ｂは、画素を示している。
【０１０２】
さらに、図８では、タッチ検出期間のときの単位信号線セレクタ６（０）の状態が示されている。すなわち、選択信号ＳＥＬ１、ＳＥＬ２によって、単位信号線セレクタ６（０）が、端子ＳＰ１１〜ＳＰ１３、ＳＰ１６のそれぞれと信号線ＳＬ（０）とを接続している状態を示している。
【０１０３】
単位信号線セレクタ６（０）は、選択信号ＳＥＬ１によってオン／オフ制御される複数のスイッチＳ１１と選択信号ＳＥＬ２によってオン／オフ制御される複数のスイッチＳ１２とを有している。表示期間においては、選択信号ＳＥＬ１とＳＥＬ２とが相補的にハイレベルとなることにより、スイッチＳ１１とスイッチＳ１２とは相補的にオン状態となる。これにより、端子ＳＰ１１〜ＳＰ１６のそれぞれに供給された画像信号は、適切な信号線に供給されることになる。一方、タッチ検出期間においては、特に制限されないが、選択信号ＳＥＬ１およびＳＥＬ２の両方がハイレベルとされる。これにより、図８に示すように、端子ＳＰ１１〜ＳＰ１６は、共通電極ＴＬ（０）に対応した複数の信号線と接続されることになる。
【０１０４】
単位選択回路ＵＣＧ２（０）を構成するスイッチＳＷ２は、Ｐチャンネル型ＭＯＳＦＥＴ（以下Ｐ型ＭＯＳＦＥＴと称する）ＴＰ１とＮチャンネル型ＭＯＳＦＥＴ（以下、Ｎ型ＭＯＳＦＥＴと称する）ＴＮ１とを有している。Ｐ型ＭＯＳＦＥＴＴＰ１の一方の電極（ソースまたはドレイン）は、ノードｎ１を介して端子ＳＰ１６に接続され、Ｎ型ＭＯＳＦＥＴＴＮ１の一方の電極（ドレインまたはソース）も、ノードｎ１を介して端子ＳＰ１６に接続されている。Ｐ型ＭＯＳＦＥＴＴＰ１の他方の電極（ドレインまたはソース）とＮ型ＭＯＳＦＥＴＴＮ１の他方の電極（ソースまたはドレイン）は、共通にノードｎ２に接続され、このノードｎ２には、タッチ用半導体装置７からの選択信号ＴＰ（０）が供給される。Ｐ型ＭＯＳＦＥＴＴＰ１のゲートには、制御信号ｘＶＣＯＭＳＥＬが供給され、Ｎ型ＭＯＳＦＥＴＴＮ１のゲートには制御信号ＶＣＯＭＳＥＬが供給される。
【０１０５】
タッチ用半導体装置７は、タッチ検出期間において、制御信号ＶＣＯＭＳＥＬをハイレベルにし、制御信号ｘＶＣＯＭＳＥＬをロウレベルにする。また、タッチ用半導体装置７は、選択共通電極として指定する共通電極に対応する選択信号をハイレベルにし、非選択共通電極として指定する共通電極に対応する指定信号をロウレベルとする。例えば、共通電極ＴＬ（０）を選択共通電極として指定する場合、タッチ用半導体装置７は、共通電極ＴＬ（０）に対応した選択信号ＴＰ（０）をハイレベルとし、共通電極ＴＬ（０）を非選択共通電極として指定する場合には、選択信号ＴＰ（０）をロウレベルとする。
【０１０６】
これにより、スイッチ回路ＳＷ２を構成するＰ型ＭＯＳＦＥＴＴＰ１およびＮ型ＭＯＳＦＥＴＴＮ１のそれぞれは、タッチ検出期間においてオン状態となり、ノードｎ２に供給されている選択信号ＴＰ（０）をノードｎ１を介して、端子ＳＰ１６へ供給する。一方、表示期間においては、制御信号ＶＣＯＭＳＥＬはロウレベルとなり、制御信号ｘＶＣＯＭＳＥＬはハイレベルとなる。これにより、Ｐ型ＭＯＳＦＥＴＴＰ１およびＮ型ＭＯＳＦＥＴＴＮ１のそれぞれがオフ状態となる。その結果、スイッチ回路ＳＷ２の出力端子であるノードｎ１は、ハイインピーダンス状態となる。
【０１０７】
タッチ検出期間において、端子ＳＰ１６へ供給された選択信号ＴＰ（０）は、制御線ＳＳ（０）を伝搬し、単位駆動電極回路ＵＣＧ１（０）へ供給される。すなわち、選択信号ＴＰ（０）は、単位駆動電極回路ＵＣＧ１（０）内のスイッチ回路ＳＷ１へ供給される。スイッチ回路ＳＷ１は、選択線ＳＳ（０）と信号配線８００との間に接続されたスイッチＳ４０を有する。スイッチＳ４０は、制御信号ＶＣＯＭＳＥＬによりスイッチ制御される。制御信号ＶＣＯＭＳＥＬは、先に述べたように、タッチ検出期間においてハイレベルとなるため、スイッチ回路ＳＷ１は、タッチ検出期間においてオン状態となり、表示期間においてオフ状態となる。
【０１０８】
単位駆動電極回路ＵＣＧ１（０）を構成する単位駆動電極ドライバ１２（０）は、Ｐ型ＭＯＳＦＥＴＴＰ２、バッファ回路ＢＦ１、インバータ回路ＩＶ１、スイッチＳ２０〜Ｓ２３およびスイッチＳ３０〜Ｓ３３を有している。スイッチＳ２０〜Ｓ２３のそれぞれは、電圧配線７００と共通電極ＴＬ（０）との間に並列的に接続され、スイッチＳ３０〜Ｓ３３のそれぞれは、信号配線５０３と共通電極ＴＬ（０）との間に並列的に接続されている。スイッチＳ２０〜Ｓ２３のそれぞれは、インバータ回路ＩＶ１の出力信号によってオン／オフ制御され、スイッチＳ３０〜Ｓ３３のそれぞれは、バッファ回路ＢＦ１の出力信号によってオン／オフ制御される。インバータ回路ＩＶ１の入力とバッファ回路ＢＦ１の入力は、信号配線８００に接続されている。また、この信号配線８００は、Ｐ型ＭＯＳＦＥＴＴＰ２のドレインに接続されている。このＰ型ＭＯＳＦＥＴＴＰ２のソースは、接地電圧に相当する電圧ＶＧＬに接続され、そのゲートには、制御信号ＶＣＯＭＳＥＬが供給されている。
【０１０９】
タッチ検出期間においては、制御信号ＶＣＯＭＳＥＬがハイレベルとなるため、Ｐ型ＭＯＳＦＥＴＴＰ２はオフ状態となる。これにより、信号配線８００の電圧は、スイッチ回路ＳＷ１を介して供給された選択信号ＴＰ（０）の電圧と同じ電圧になる。共通電極ＴＬ（０）を選択共通電極として指定する場合には、選択信号ＴＰ（０）がハイレベルとなるため、バッファ回路ＢＦ１はハイレベルを出力し、インバータ回路ＩＶ１はロウレベルを出力する。これにより、スイッチＳ３０〜Ｓ３３のそれぞれがオン状態となり、共通電極ＴＬ（０）は、スイッチＳ３０〜Ｓ３３を介して信号配線５０３に接続されることになる。信号配線５０３に供給される制御信号ＴＳＶＣＯＭは、タッチ検出期間においては、その電圧が周期的に変化するクロック信号である。そのため、共通電極ＴＬ（０）が選択共通電極として指定された場合には、周期的に電圧が変化する駆動信号が供給されることになり、この共通電極ＴＬ（０）の近傍がタッチされているか否かの判定を行うことが可能となる。
【０１１０】
これに対して、共通電極ＴＬ（０）が非選択共通電極として指定されている場合には、選択信号ＴＰ（０）はロウレベルとなる。この選択信号ＴＰ（０）のロウレベルは、信号配線８００を伝達してバッファ回路ＢＦ１およびインバータ回路ＩＶ１に供給される。これにより、バッファ回路ＢＦ１はロウレベルを出力し、インバータ回路ＩＶ１はハイレベルを出力する。インバータ回路ＩＶの出力がハイレベルとなることにより、スイッチＳ２０〜Ｓ２３のそれぞれがオン状態となる。一方、バッファ回路ＢＦ１の出力がロウレベルとなることにより、スイッチＳ３０〜Ｓ３３のそれぞれはオフ状態となる。この結果、共通電極ＴＬ（０）は、スイッチＳ２０〜Ｓ２３を介して、電圧配線７００に接続され、接地電圧が供給されることになる。非選択共通電極として共通電極ＴＬ（０）を指定した場合には、共通電極ＴＬ（０）の電圧が接地電圧に固定されるため、この共通電極ＴＬ（０）の近傍がタッチされても、タッチの検出は行われない。
【０１１１】
表示期間においては、制御信号ＶＣＯＭＳＥＬがロウレベルとなるため、スイッチ回路ＳＷ１はオフ状態となる。その結果、信号配線８００と信号線ＳＬ（０）２（Ｂ）とは電気的に分離されることになり、画像信号が単位駆動電極ドライバ１２（０）へ供給されるのを防ぐことが可能となる。また、このとき、Ｐ型ＭＯＳＦＥＴＴＰ２がオン状態となるため、信号配線８００には、Ｐ型ＭＯＳＦＥＴＴＰ２を介して電圧ＶＧＬが供給されることになる。その結果、バッファ回路ＢＦ１の出力はロウレベルとなり、インバータ回路ＩＶ１の出力はハイレベルとなる。インバータ回路ＩＶ１の出力がハイレベルとなることにより、スイッチＳ２０〜Ｓ２３のそれぞれがオン状態となる。これにより、表示期間においては、スイッチＳ２０〜Ｓ２３を介して、共通電極ＴＬ（ｐ）に電圧ＶＣＯＭＤＣが供給されることになる。この場合、電圧ＶＣＯＭＤＣは、接地電圧に相応する電圧ＶＣＯＭＤＣである。このようにすることにより、表示期間においては、共通電極ＴＬ（０）に表示に適した電圧ＶＣＯＭＤＣを供給することが可能となる。
【０１１２】
＜単位選択回路および単位駆動電極回路の動作＞
次に、図８に示した液晶表示装置１の動作を説明する。図９（Ａ）〜（Ｅ）は、図８に示した液晶表示装置１の動作を示す波形図である。図９において、横軸は時間を示しており、縦軸は電圧を示している。図９（Ａ）は、選択信号ＳＥＬ１の波形を示しており、図９（Ｂ）は、制御信号ＶＣＯＭＳＥＬの波形を示しており、図９（Ｃ）は、制御信号ＴＳＶＣＯＭの波形を示している。
【０１１３】
図９には、タッチ検出期間と表示期間の波形が示されており、タッチ検出期間については、図８に示した共通電極ＴＬ（０）に関する波形が示されている。すなわち、図９（Ｄ）は、選択信号ＴＰ（０）の波形を示しており、図９（Ｅ）は、共通電極ＴＬ（０）に供給される駆動信号Ｔｘ（０）の波形を示している。図９において、「タッチ検出期間（選択共通電極）」は、タッチ用半導体装置７によって、共通電極ＴＬ（０）を選択共通電極として指定した場合を示している。また、「タッチ検出期間（非選択共通電極）」は、タッチ用半導体装置７によって、共通電極ＴＬ（０）を非選択共通電極として指定した場合を示している。
【０１１４】
図９に示すように、タッチ検出期間と表示期間は交互に発生するが、タッチ検出期間から表示期間に移行する前に、特に制限されないが、信号線プリチャージ期間が設けられている。この信号線プリチャージ期間においては、信号線ＳＬ（０）〜ＳＬ（ｐ）をプリチャージし、それぞれの信号線の電圧を所定の電圧にする。これにより、表示期間に遷移したときに、不所望な表示が発生するのを抑制することが可能となる。
【０１１５】
表示期間においては、タッチ用半導体装置７は、制御信号ＶＣＯＭＳＥＬをロウレベルにし、制御信号ＴＳＶＣＯＭをロウレベルにする。また、選択信号ＳＥＬ１、ＳＥＬ２を相補的にハイレベルにする。図９（Ａ）には、選択信号ＳＥＬ１の波形のみが示されているが、選択信号ＳＥＬ２は、選択信号ＳＥＬ１がロウレベルとなっているとき、ハイレベルになるものと理解して頂きたい。これにより、図８に示したスイッチＳ１１とＳ１２とが交互にオン状態となり、端子ＳＰ１１〜ＳＰ１６に供給された画像信号を適切な信号線へ時分割的に供給する。
【０１１６】
また、表示期間においては、制御信号ＶＣＯＭＳＥＬがロウレベルとなっていることにより、図８に示したＰ型ＭＯＳＦＥＴＴＰ２がオン状態となり、スイッチ回路ＳＷ１は非導通状態となる。これにより、信号配線８００は、信号線ＳＬ（０）２（Ｂ）から分離され、ロウレベルの電圧ＶＧＬとなる。ロウレベルの電圧ＶＧＬがインバータ回路ＩＶ１に供給されることになるため、スイッチＳ２０〜Ｓ２３がオン状態となり、共通電極ＴＬ（０）には、接地電圧に相当する電圧ＶＣＯＭＤＣが、表示の際の駆動電圧として、スイッチＳ２０〜Ｓ２３を介して供給されることになる。
【０１１７】
さらに、制御信号ｘＶＣＯＭＳＥＬは、制御信号ＶＣＯＭＳＥＬに対して位相反転された信号であるため、表示期間において、ハイレベルとなる。これにより、図８に示したスイッチ回路ＳＷ２を構成するＰ型ＭＯＳＦＥＴＴＰ１およびＮ型ＭＯＳＦＥＴＴＮ１の両方がオフ状態となり、スイッチ回路ＳＷ２の出力ノードｎ１は、ハイインピーダンス状態となる。これにより、ドライバ用半導体装置ＤＤＩＣから端子ＳＰ１１〜ＳＰ１６へ供給された画像信号は、信号線ＳＬ（０）０（Ｒ）、ＳＬ（０）０（Ｇ）、ＳＬ（０）０（Ｂ）〜ＳＬ（０）２（Ｒ）、ＳＬ（０）２（Ｇ）、ＳＬ（０）２（Ｂ）に伝達され、画像信号に従った表示が行われる。
【０１１８】
タッチ検出期間においては、ドライバ用半導体装置ＤＤＩＣは、選択信号ＳＥＬ１およびＳＥＬ２の両方をハイレベルにする。これにより、図８に示したスイッチＳ１１とＳ１２は両方ともオン状態となる。また、タッチ用半導体装置７は、制御信号ＶＣＯＭＳＥＬをハイレベルにし、制御信号ＴＳＶＣＯＭの電圧を周期的に変化させる。
【０１１９】
タッチ検出期間が、タッチ検出期間（選択共通電極）の場合、タッチ用半導体装置７は、選択信号ＴＰ（０）をハイレベルにする。制御信号ＶＣＯＭＳＥＬがハイレベルで、制御信号ｘＶＣＯＭＳＥＬがロウレベルであるため、スイッチ回路ＳＷ２が導通状態となり、ハイレベルの選択信号ＴＰ（０）がスイッチ回路ＳＷ２を介して、端子ＳＰ１６に供給される。このとき、ドライバ用半導体装置ＤＤＩＣの出力端子（図７の○印）は、ハイインピーダンス状態のため、端子ＳＰ１６に供給された選択信号ＴＰ（０）は、制御線ＳＳ（０）を伝搬し、単位駆動電極回路ＵＣＧ１（０）へ供給される。
【０１２０】
単位駆動電極回路ＵＣＧ１（０）においては、制御信号ＶＣＯＭＳＥＬがハイレベルであるため、スイッチ回路ＳＷ１は導通状態となり、Ｐ型ＭＯＳＦＥＴＴＰ２はオフ状態となる。そのため、制御線ＳＳ（０）は、スイッチ回路ＳＷ１を介して信号配線８００に接続され、信号配線８００の電圧は、ハイレベルとなる。信号配線８００の電圧がハイレベルとなることにより、バッファ回路ＢＦ１の出力はハイレベルとなり、インバータ回路ＩＶ１の出力はロウレベルとなる。これにより、スイッチＳ２０〜Ｓ２３はオフ状態となり、スイッチＳ３０〜Ｓ３３はオン状態となる。スイッチＳ３０〜Ｓ３３がオン状態となることにより、共通電極ＴＬ（０）は、スイッチＳ３０〜Ｓ３３を介して信号配線５０３に接続される。信号配線５０３における制御信号ＴＳＶＣＯＭは、その電圧が周期的に変化しているため、駆動電極ＴＬ（０）には、図９（Ｅ）に示すように周期的に電圧が変化する駆動信号Ｔｘ（０）が供給されることになる。これにより、図２において説明したように、駆動電極ＴＬ（０）の近傍がタッチされているか否かの検出を行うことが可能となる。
【０１２１】
一方、タッチ検出期間が、タッチ検出期間（非選択共通電極）の場合、タッチ用半導体装置７は、選択信号ＴＰ（０）をロウレベルにする。制御信号ＶＣＯＭＳＥＬがハイレベルで、制御信号ｘＶＣＯＭＳＥＬがロウレベルであるため、スイッチ回路ＳＷ２が導通状態となり、ロウレベルの選択信号ＴＰ（０）がスイッチ回路ＳＷ２を介して、端子ＳＰ１６に供給される。このとき、ドライバ用半導体装置ＤＤＩＣの出力端子（図７の○印）は、ハイインピーダンス状態のため、端子ＳＰ１６に供給された選択信号ＴＰ（０）は、制御線ＳＳ（０）を伝搬し、単位駆動電極回路ＵＣＧ１（０）へ供給される。
【０１２２】
単位駆動電極回路ＵＣＧ１においては、制御信号ＶＣＯＭＳＥＬがハイレベルであるため、スイッチ回路ＳＷ１は導通状態となり、Ｐ型ＭＯＳＦＥＴＴＰ２はオフ状態となる。そのため、制御線ＳＳ（０）は、スイッチ回路ＳＷ１を介して信号配線８００に接続され、信号配線８００の電圧は、ロウレベルとなる。信号配線８００の電圧がロウレベルとなることにより、バッファ回路ＢＦ１の出力はロウレベルとなり、インバータ回路ＩＶ１の出力はハイレベルとなる。これにより、スイッチＳ３０〜Ｓ３３はオフ状態となり、スイッチＳ２０〜Ｓ２３はオン状態となる。スイッチＳ２０〜Ｓ２３がオン状態となることにより、共通電極ＴＬ（０）は、スイッチＳ２０〜Ｓ２３を介して電圧配線７００に接続される。その結果、共通電極ＴＬ（０）には、その電圧が周期的に変化する制御信号ＴＳＶＣＯＭは供給されず、接地電圧である電圧ＶＣＯＭＤＣが供給されることになる。これにより、共通電極ＴＬ（０）の近傍がタッチされても検出信号の電圧は変化せず、タッチの有無の検出は行われない。
【０１２３】
共通電極ＴＬ（０）、単位選択回路ＵＣＧ２（０）および単位駆動電極回路ＵＣＧ１（０）を代表例として説明したが、共通電極ＴＬ（１）〜ＴＬ（ｐ）、単位選択回路ＵＣＧ２（１）〜ＵＣＧ２（ｐ）および単位駆動電極回路ＵＣＧ１（１）〜ＵＣＧ１（ｐ）についても、構成および動作は同じである。
【０１２４】
実施の形態１においては、液晶パネル２の短辺２−Ｄに沿って配置された第２回路ＣＧＷ２を、少ない数の素子（Ｐ型ＭＯＳＦＥＴＴＰ１、Ｎ型ＭＯＳＦＥＴＴＮ１）で構成することが可能であるため、液晶パネル２の下側額縁を狭くすることが可能である。また、液晶パネル２の短辺２−Ｕに沿って配置された第１回路（第１駆動電極回路）ＣＧＷ１が、共通電極ＴＬ（０）〜ＴＬ（ｐ）を駆動するため、タッチ検出を行うことが可能である。さらに、第２回路ＣＧＷ２から第１回路ＣＧＷ１へ選択信号を伝達する配線として、表示の際には画像信号を伝達する信号線を、タッチ検出期間においては、制御線として用いることにより、表示パネル２の横側額縁が大きくなるのを抑制することが可能である。
【０１２５】
図７および図８においては、制御線ＳＳ（０）として、信号線ＳＬ（０）２（Ｂ）を用いる例を説明したが、これに限定されない。共通電極ＴＬ（０）に対応する信号線ＳＬ（０）である複数の信号線、例えば全ての信号線ＳＬ（０）０（Ｒ）、ＳＬ（０）０（Ｇ）、ＳＬ（０）０（Ｂ）〜ＳＬ（０）２（Ｒ）、ＳＬ（０）２（Ｇ）、ＳＬ（０）２（Ｂ）あるいはこれらの信号線の少なくとも一部の信号線を制御線ＳＳ（０）として用いるようにしてもよい。この場合には、例えば、端子ＳＰ１１〜ＳＰ１６のそれぞれに、スイッチ回路ＳＷ２に相当するスイッチ回路を設け、スイッチ回路の出力ノードｎ１を、端子ＳＰ１１〜ＳＰ１６に接続し、それぞれの信号線と信号配線８００との間に、スイッチ回路ＳＷ１に相当するスイッチ回路を設けるようにすればよい。信号線ＳＬ（１）〜ＳＬ（ｐ）のそれぞれについても、信号線ＳＬ（０）と同様に、１個の信号線だけでなく、少なくとも一部の信号線を制御線として兼用することが可能である。
【０１２６】
このように、共通電極に対応した信号線ＳＬ（０）〜ＳＬ（ｐ）のそれぞれにおいて、複数の信号線を制御線として兼用することにより、選択信号ＴＰ（０）〜ＴＰ（ｐ）が伝搬する際の遅延時間を低減することが可能となる。
【０１２７】
（実施の形態２）
＜液晶表示装置１の構成＞
図１０は、実施の形態２に係わる液晶表示装置１の構成を示すブロック図である。図１０には、図５に示したモジュール５００のうち、共通電極、第１回路ＣＧＷ１、第２回路ＣＧＷ２およびドライバ用半導体装置ＤＤＩＣが、詳しく示されている。模式的にではあるが、図１０も、実際の配置に合わせて描かれている。
【０１２８】
図１０に示す液晶表示装置の構成は、図７に示した液晶表示装置の構成と類似している。ここでは、図７に示した液晶表示装置との相違点を主に説明する。先ず、相違点の概要を述べると、実施の形態２に係わる液晶表示装置１において、第１回路ＣＧＷ１は、実施の形態１と同様に第１駆動電極回路を備えており、第２回路ＣＧＷ２も、共通電極ＴＬ（０）〜ＴＬ（ｐ）に駆動信号Ｔｘ（０）〜Ｔｘ（ｐ）を供給する第２駆動電極回路を備えている。また、この実施の形態２に係わる液晶表示装置１は、共通電極ＴＬ（０）〜ＴＬ（ｐ）を、表示期間のとき、電圧ＶＣＯＭＤＣに接続し、タッチ検出期間のとき、端子ＳＰ１１〜ＳＰ１６のうちの一部の端子へ接続する切換回路１００を備えている。
【０１２９】
第１回路ＣＧＷ１は、実施の形態１と同様に、第１駆動電極回路であり、複数の第１単位駆動電極回路ＵＣＧ１（０）〜ＵＣＧ１（ｐ）を備えている。これらの第１単位駆動電極回路ＵＣＧ１（０）〜ＵＣＧ１（ｐ）は、共通電極ＴＬ（０）〜ＴＬ（ｐ）と１対１に対応しており、互いに同じ構成を有している。第１単位駆動電極回路ＵＣＧ１（０）を代表にして、説明すると、第１単位駆動電極回路ＵＣＧ１（０）は、第１単位駆動電極ドライバ１２−１（０）とスイッチ回路ＳＷ３とを備えている。第１単位駆動電極ドライバ１２−１（０）は、実施の形態１で述べた単位駆動電極ドライバ１２（０）と同じ構成を有している。
【０１３０】
スイッチ回路ＳＷ３は、制御信号ＶＣＯＭＳＥＬにより制御され、タッチ検出期間において、制御線ＳＳ（０）を介して供給される選択信号を、信号配線８００へ伝達する。また、スイッチ回路ＳＷ３は、タッチ検出期間において、制御線ＳＳ（０）に対応する信号線を除いた信号線を、共通電極ＴＬ（０）に接続する。
【０１３１】
第２回路ＣＧＷ２は、第２駆動電極回路であり、複数の第２単位駆動電極回路ＵＣＧ２（０）〜ＵＣＧ２（ｐ）を備えている。これらの第２単位駆動電極回路ＵＣＧ２（０）〜ＵＣＧ２（ｐ）は、共通電極ＴＬ（０）〜ＴＬ（ｐ）と１対１に対応しており、互いに同じ構成を有している。第２単位駆動電極回路ＵＣＧ２（０）を代表にして、説明すると、第２単位駆動電極回路ＵＣＧ２（０）は、第２単位駆動電極ドライバ１２−２（０）とスイッチ回路ＳＷ２とを備えている。第２単位駆動電極ドライバ１２−２（０）は、第１単位駆動電極ドライバ１２−１（０）と類似しており、タッチ検出期間において、選択信号ＴＰ（０）が共通電極ＴＬ（０）を選択共通電極として指定しているとき、周期的に電圧が変化する制御信号ＴＳＶＣＯＭを端子ＳＰ１１〜ＳＰ１６のうちの所定の端子ＳＰ１１〜ＳＰ１５へ供給する。
【０１３２】
スイッチ回路ＳＷ２は、実施の形態１で述べたスイッチ回路ＳＷ２と同じ構成を有しており、タッチ検出期間において、選択信号ＴＰ（０）を制御線ＳＳ（０）へ供給する。
【０１３３】
切換回路１００も、複数の単位切換回路１００（０）〜１００（ｐ）により構成されている。単位切換回路１００（０）〜１００（ｐ）は、共通電極ＴＬ（０）〜ＴＬ（ｐ）に１対１に対応しており、互いに同じ構成を有している。単位切換回路１００（０）を代表として説明すると、単位切換回路１００（０）は、共通電極ＴＬ（０）に対応し、制御信号ＶＣＯＭＳＥＬに従って、対応する共通電極ＴＬ（０）を所定の端子ＳＰ１１〜ＳＰ１５または電圧ＶＣＯＭＤＣに接続する。すなわち、制御信号ＶＣＯＭＳＥＬが、表示期間を示しているとき、単位切換回路１００（０）は、対応する共通電極ＴＬ（０）を電圧ＶＣＯＭＤＣに接続し、制御信号ＶＣＯＭＳＥＬが、タッチ検出期間を示しているとき、共通電極ＴＬ（０）を端子ＳＰ１１〜ＳＰ１５へ接続する。
【０１３４】
タッチ検出期間においては、単位切換回路１００（０）によって、共通電極ＴＬ（０）は、端子ＳＰ１１〜ＳＰ１５に接続され、第２単位駆動電極ドライバ１２−２（０）からの駆動信号が端子ＳＰ１１〜ＳＰ１５を介して、共通電極ＴＬ（０）に供給される。このとき、制御線ＳＳ（０）に対応する信号線ＳＬ（０）２（Ｂ）を除く信号線にも、第２単位駆動電極ドライバ１２−２（０）から駆動信号が供給される。
【０１３５】
タッチ検出期間においては、実施の形態１と同様に、スイッチＳＷ２を介して、選択信号ＴＰ（０）が制御線ＳＳ（０）［ＳＬ（０）２（Ｂ）］に供給される。この選択信号ＴＰ（０）は、制御線ＳＳ（０）［ＳＬ（０）２（Ｂ）］を伝搬し、スイッチ回路ＳＷ３を介して信号配線８００に供給される。第１単位駆動電極ドライバ１２−１（０）は、実施の形態１の駆動電極ドライバ１２（０）と同様に、信号配線８００の電圧に従って、駆動信号を形成し、共通電極ＴＬ（０）へ供給する。このとき、スイッチ回路ＳＷ３は、制御線ＳＳ（０）に対応する信号線ＳＬ（０）２（Ｂ）を除いた信号線を共通電極ＴＬ（０）に接続する。そのため、第１単位駆動電極ドライバ１２−１（０）により形成された駆動信号は、制御線ＳＳ（０）に対応する信号線［ＳＬ（０）２（Ｂ）］を除いた信号線へも供給されることになる。
【０１３６】
これにより、タッチ検出期間においては、液晶パネル２のそれぞれの短辺２−Ｕ（第１辺）、２−Ｄ（第２辺）に沿って配置された第１単位駆動電極ドライバ１２−１（０）および第２単位駆動電極ドライバ１２−２（０）によって、共通電極ＴＬ（０）の両端側から駆動信号が供給されるようになる。また、スイッチ回路ＳＷ３および切換回路１００（０）によって、制御線ＳＳ（０）［ＳＬ（０）２（Ｂ）］を除く信号線が、共通電極ＴＬ（０）と並列的に接続されることになり、合成インピーダンスを低下させることが可能となる。この結果、第１単位駆動電極ドライバ１２−１（０）および第２単位駆動電極ドライバ１２−２（０）の駆動能力を低くしても、共通電極ＴＬ（０）を駆動することが可能となり、第１および第２単位駆動電極ドライバ１２−１（０）、１２−２（０）の小型化を図ることが可能となる。これにより、液晶パネル２の上側および下側の額縁を狭くすることが可能となる。
【０１３７】
また、実施の形態１と同様に、表示期間においては信号線ＳＬ（０）２（Ｂ）として機能する配線を、選択信号ＴＰ（０）を伝達する制御線として用いているため、液晶パネル２の右側および左側の額縁が大きくなるのを防ぐことが可能である。
【０１３８】
第１単位駆動電極回路ＵＣＧ１（０）、第２単位駆動電極回路ＵＣＧ２（０）および単位切換回路１００（０）を代表として説明したが、残りの第１単位駆動電極回路ＵＣＧ１（１）〜ＵＣＧ１（ｐ）、第２単位駆動電極回路ＵＣＧ２（１）〜ＵＣＧ２（ｐ）および単位切換回路１００（１）〜１００（ｐ）についても、構成および動作は同じである。
【０１３９】
＜第１単位駆動電極回路および第２単位駆動電極回路の構成＞
次に、図１０で示した第１単位駆動回路ＵＣＧ１（０）〜ＵＣＧ１（ｐ）および第２単位駆動電極回路ＵＣＧ２（０）〜ＵＣＧ２（ｐ）の構成を説明する。ここでは、第１単位駆動電極回路ＵＣＧ１（０）および第２単位駆動電極回路ＵＣＧ２（０）を代表として、図１１を用いて説明する。
【０１４０】
図１１は、実施の形態２に係わる液晶表示装置１の要部の構成を示す回路図である。図１１に示した回路図は、図８に示した回路図と類似しているので、ここでは主に相違点を説明する。
【０１４１】
第１単位駆動電極回路ＵＣＧ１（０）に含まれている第１単位駆動電極ドライバ１２−１（０）の構成は、図８に示した単位駆動電極ドライバ１２（０）と同じ構成である。すなわち、第１単位駆動電極ドライバ１２−１（０）は、Ｐ型ＭＯＳＦＥＴＴＰ２、スイッチＳ２０〜Ｓ２３、Ｓ３０〜Ｓ３３、インバータ回路ＩＶ１およびバッファ回路ＢＦ１を有している。
【０１４２】
スイッチ回路ＳＷ３は、制御信号ＶＣＯＭＳＥＬによってスイッチ制御されるスイッチＳ４０〜Ｓ４３を備えている。ここで、スイッチＳ４０は、図８と同様に、信号配線８００と信号線ＳＬ（０）２（Ｂ）との間に接続されている。この信号線ＳＬ（０）２（Ｂ）は、実施の形態１と同様に、表示期間においては画像信号を伝達するために用いられ、タッチ検出期間においては、選択信号を伝達する制御線ＳＳ（０）として用いられる。スイッチＳ４０は、表示期間においては、制御信号ＶＣＯＭＳＥＬによりオフ状態にされるため、信号配線８００と信号線ＳＬ（０）２（Ｂ）とを分離する分離回路として機能する。
【０１４３】
スイッチＳ４１〜Ｓ４３は、共通電極ＴＬ（０）と信号線ＳＬ（０）２（Ｂ）を除く信号線との間に接続されている。図１０では、共通電極ＴＬ（０）と信号線ＳＬ（０）０（Ｒ）、ＳＬ（０）０（Ｇ）、ＳＬ（０）０（Ｂ）との間に接続されたスイッチＳ４１〜Ｓ４３が示されている。スイッチＳ４１〜Ｓ４３のそれぞれも、制御信号ＶＣＯＭＳＥＬが、タッチ検出期間を示しているとき、すなわち制御信号ＶＣＯＭＳＥＬがハイレベルのとき、オン状態となる。一方、制御信号ＶＣＯＭＳＥＬが、表示期間を示しているとき、すなわち制御信号ＶＣＯＭＳＥＬがロウレベルのとき、スイッチＳ４１〜Ｓ４３のそれぞれは、オフ状態となる。
【０１４４】
実施の形態１と同様に、タッチ検出期間においては、制御線ＳＳ（０）およびスイッチＳ４０を介して、選択信号が信号配線８００に供給される。選択信号が、共通電極ＴＬ（０）を選択共通電極として指定している場合、選択信号がハイレベルとなる。これにより、図８で説明したのと同様に、第１単位駆動電極ドライバ１２−１（０）内のスイッチＳ３０〜Ｓ３３のそれぞれがオン状態となり、制御信号ＴＳＶＣＯＭが、共通電極ＴＬ（０）に駆動信号Ｔｘ（０）として供給される。このとき、スイッチ回路ＳＷ３内のスイッチＳ４１〜Ｓ４３もオン状態となっているため、信号線ＳＬ（０）０（Ｒ）、ＳＬ（０）０（Ｇ）、ＳＬ（０）０（Ｂ）のそれぞれにも、スイッチＳ４１〜Ｓ４３を介して、制御信号ＴＳＶＣＯＭが駆動信号Ｔｘ（０）として供給される。
【０１４５】
ここで、制御線ＳＳ（０）として用いられている信号線ＳＬ（０）２（Ｂ）と共通電極ＴＬ（０）との間にはスイッチが設けられていないことに注意すべきである。この信号線ＳＬ（０）２（Ｂ）は、タッチ検出期間においては、選択信号を伝達するための制御線ＳＳ（０）として用いるため、駆動信号が供給されないようにするために、スイッチが設けられていない。
【０１４６】
また、タッチ検出期間において、選択信号が、共通電極ＴＬ（０）を非選択共通電極として指定している場合、選択信号がロウレベルとなる。これにより、図８で説明したのと同様に、第１単位駆動電極ドライバ１２−１（０）内のスイッチＳ２０〜Ｓ２３のそれぞれがオン状態となる。これにより、共通電極ＴＬ（０）および信号線ＳＬ（０）０（Ｒ）、ＳＬ（０）０（Ｇ）、ＳＬ（０）０（Ｂ）には、接地電圧に対応する電圧ＶＣＯＭＤＣが供給される。
【０１４７】
表示期間においては、制御信号ＶＣＯＭＳＥＬがロウレベルとなることにより、スイッチ回路ＳＷ３内のスイッチＳ４０〜Ｓ４３はオフ状態となる。これにより、信号線ＳＬ（０）２（Ｂ）は、信号配線８００から分離され、図８で述べたのと同様に、スイッチＳ２０〜Ｓ２３がオン状態となり、共通電極ＴＬ（０）には、表示の際の駆動電圧が、第１単位駆動電極回路ＵＣＧ１（０）から供給されることになる。
【０１４８】
第２単位駆動電極回路ＵＣＧ２（０）は、第２単位駆動電極ドライバ１２−２（０）とスイッチ回路ＳＷ２とを有している。スイッチ回路ＳＷ２は、図８に示したスイッチ回路ＳＷ２と同じ構成を有している。すなわち、スイッチ回路ＳＷ２は、制御信号ＶＣＯＭＳＥＬにより制御されるＮ型ＭＯＳＦＥＴＴＮ１と制御信号ｘＶＣＯＭＳＥＬにより制御されるＰ型ＭＯＳＦＥＴＴＰ１とを有している。スイッチ回路ＳＷ２の入力ノードｎ２には、タッチ用半導体装置７からの選択信号ＴＰ（０）が供給され、スイッチ回路ＳＷ２の出力ノードｎ１は、端子ＳＰ１６に接続されている。
【０１４９】
第２単位駆動電極ドライバ１２−２（０）は、端子ＳＰ１１〜ＳＰ１６のそれぞれと信号配線５０３との間に接続された第１スイッチと、端子ＳＰ１１〜ＳＰ１６のそれぞれと電圧配線７００との間に接続された第２スイッチを備えている。図１１には、これらの第１スイッチおよび第２スイッチのうち、端子ＳＰ１１〜ＳＰ１３およびＳＰ１６と信号配線５０３との間に接続された第１スイッチＳ６０〜Ｓ６３と、端子ＳＰ１１〜ＳＰ１３およびＳＰ１６と電圧配線７００との間に接続された第２スイッチＳ７０〜Ｓ７３が示されている。また、第２単位駆動電極回路ＵＣＧ２（０）は、タッチ用半導体装置７からの選択信号ＴＰ（０）が供給されるインバータ回路ＩＶ２と、選択信号ＴＰ（０）が供給されるバッファ回路ＢＦ２と、インバータ回路ＩＶ２の出力と制御信号ＶＣＯＭＳＥＬを受ける２入力アンド（ＡＮＤ）回路ＮＤ１を備えている。バッファ回路ＢＦ２は、選択信号ＴＰ（０）と同相のスイッチ制御信号ＳＷ１＿Ｃを出力する。インバータ回路ＩＶ２は、選択信号ＴＰ（０）を位相反転した反転信号を形成する。２入力アンド回路ＮＤ１は、制御信号ＶＣＯＭＳＥＬと反転信号とを受け、スイッチ制御信号ＳＷ２＿Ｃを出力する。
【０１５０】
第１スイッチのうち、端子ＳＰ１６を除く端子（図１１では、ＳＰ１１〜ＳＰ１３）と信号配線５０３との間に接続された第１スイッチ（図１１では、Ｓ６０〜Ｓ６２）は、スイッチ制御信号ＳＷ１＿Ｃによりスイッチ制御される。また、第２スイッチのうち、端子ＳＰ１６を除く端子（図１１では、ＳＰ１１〜ＳＰ１３）と電圧配線７００との間に接続された第２スイッチ（図１１では、Ｓ７０〜Ｓ７２）は、スイッチ制御信号ＳＷ２＿Ｃによりスイッチ制御される。これに対して、端子ＳＰ１６と信号配線５０３との間に接続された第１スイッチＳ６３は、常時オフ状態となるようにされている。また、端子ＳＰ１６と電圧配線７００との間に接続された第２スイッチＳ７３も、常時オフ状態となるようにされている。例えば、第１スイッチＳ６３と第２スイッチＳ７３には、常時ロウレベルの制御信号が供給されるようにしておく。
【０１５１】
図８で述べた単位駆動電極ドライバ１２（０）と同様に、第２単位駆動電極ドライバ１２−２（０）は動作する。すなわち、タッチ検出期間において、選択信号ＴＰ（０）の電圧がハイレベルの場合、バッファ回路ＢＦ２は、ハイレベルのスイッチ制御信号ＳＷ１＿Ｃを出力する。このとき、インバータ回路ＩＶ２は、ロウレベルの反転信号を出力する。タッチ検出期間においては、制御信号ＶＣＯＭＳＥＬはハイレベルとなるため、２入力アンド回路ＮＤ１は、インバータ回路ＩＶ２からの反転信号をスイッチ制御信号ＳＷ２＿Ｃとして出力する。すなわち、ロウレベルのスイッチ制御信号ＳＷ２＿Ｃを、２入力アンド回路ＮＤ１は出力する。これにより、第１スイッチＳ６３を除く、第１スイッチ（Ｓ６０〜Ｓ６２）はオン状態となり、第２スイッチ（Ｓ７０〜Ｓ７２）はオフ状態となる。反対に、選択信号ＴＰ（０）の電圧がロウレベルの場合、バッファ回路ＢＦ２は、ロウレベルのスイッチ制御信号ＳＷ１＿Ｃを出力し、インバータ回路ＩＶ２は、ハイレベルの反転信号を出力する。２入力アンド回路ＮＤ１は、ハイレベルの反転信号をスイッチ制御信号ＳＷ２＿Ｃとして出力する。これにより、第２スイッチＳ７３を除く、第２スイッチ（Ｓ７０〜Ｓ７２）はオン状態となり、第１スイッチ（Ｓ６０〜Ｓ６２）はオフ状態となる。
【０１５２】
既に述べたように、共通電極ＴＬ（０）を選択共通電極として指定する場合に、タッチ用半導体装置７は、この共通電極ＴＬ（０）に対応した選択信号ＴＰ（０）をハイレベルにする。一方、共通電極ＴＬ（０）を非選択共通電極として指定する場合に、タッチ用半導体装置７は、この共通電極ＴＬ（０）に対応した選択信号ＴＰ（０）をロウレベルにする。その結果、共通電極ＴＬ（０）が選択共通電極として指定されている場合には、スイッチＳ６３を除く第１スイッチ（Ｓ６０〜Ｓ６２）がオン状態となり、これらの第１スイッチを介して、周期的に電圧が変化する制御信号ＴＳＶＣＯＭが、駆動信号として、端子ＳＰ１１〜ＳＰ１５に供給されることになる。一方、共通電極ＴＬ（０）が非選択共通電極として指定されている場合には、スイッチＳ７３を除く第２スイッチ（Ｓ７０〜Ｓ７２）がオン状態となり、これらの第２スイッチを介して、接地電圧に対応する電圧ＶＣＯＭＤＣが、電圧配線７００から端子ＳＰ１１〜ＳＰ１５へ供給されることになる。
【０１５３】
タッチ検出期間においては、図８で述べたように、スイッチ回路ＳＷ２はオン状態となる。そのため、スイッチ回路ＳＷ２の入力ノードｎ２に供給されている選択信号ＴＰ（０）は、スイッチ回路ＳＷ２を介して端子ＳＰ１６へ供給される。
【０１５４】
すなわち、タッチ検出期間において、選択信号ＴＰ（０）がハイレベルであった場合、端子ＳＰ１１〜ＳＰ１５における電圧は、制御信号ＴＳＶＣＯＭの電圧変化に従って変化し、端子ＳＰ１６は、選択信号ＴＰ（０）の電圧に相当する電圧となる。
【０１５５】
単位切換回路１００（０）は、制御信号ＶＣＯＭＳＥＬによって制御される複数の第３スイッチを備えている。ここで、第３スイッチは、共通端子Ｃと２個の入力端子Ｐ１、Ｐ２を有する２入力スイッチであり、制御信号ＶＣＯＭＳＥＬの電圧に従って、共通端子Ｃを、入力端子Ｐ１またはＰ２に接続する。複数の第３スイッチのそれぞれの共通端子Ｃは、共通電極ＴＬ（０）に接続され、それぞれの入力端子Ｐ１は、電圧ＶＣＯＭＤＣが供給される電圧配線１１１に接続されている。また、第３スイッチの入力端子Ｐ２は、端子ＳＰ１１〜ＳＰ１６に接続されている。図１１には、第３スイッチのうち、端子ＳＰ１１〜ＳＰ１３およびＳＰ１６に、入力端子Ｐ２が接続された第３スイッチが、Ｓ５０〜Ｓ５３として示されている。この実施の形態２においては、端子ＳＰ１１〜ＳＰ１６に接続された第３スイッチのうち、端子ＳＰ１６に、その入力端子Ｐ２が接続された第３スイッチＳ５３は、制御信号ＶＣＯＭＳＥＬの電圧にかかわらずに、常時、共通端子Ｃが入力端子Ｐ１に接続されるように制御されている。
【０１５６】
この実施の形態２においては、制御信号ＶＣＯＭＳＥＬがロウレベルのとき、第３スイッチは、共通端子Ｃを入力端子Ｐ１へ接続し、制御信号ＶＣＯＭＳＥＬがハイレベルのときには、共通端子Ｃを入力端子Ｐ２へ接続する。なお、第３スイッチのうち、第３スイッチＳ５３には、例えば常時ロウレベルの制御信号が供給されている。
【０１５７】
これにより、タッチ検出期間においては、制御信号ＶＣＯＭＳＥＬがハイレベルとなるため、第３スイッチＳ５３を除く第３スイッチ（Ｓ５０〜Ｓ５２）においては、共通端子Ｃが、入力端子Ｐ２を介して対応する端子ＳＰ１１〜ＳＰ１５に接続される。すなわち、タッチ検出期間においては、共通電極ＴＬ（０）は、端子ＳＰ１１〜ＳＰ１５に接続されることになる。また、実施の形態１において述べたように、単位信号線セレクタ６（０）におけるスイッチＳ１１およびＳ１２は、タッチ検出期間においては、ともにオン状態にされている。
【０１５８】
そのため、タッチ検出期間において、第２駆動電極ドライバ１２−２（０）から端子ＳＰ１１〜ＳＰ１５へ供給された駆動信号は、制御線ＳＳ（０）として機能する信号線ＳＬ（０）２（Ｂ）を除いた信号線と共通電極ＴＬ（０）へ供給されることになる。
【０１５９】
また、表示期間においては、第３スイッチＳ５０〜Ｓ５３を介して、共通電極ＴＬ（０）は電圧配線７００に接続されるため、表示の際の駆動電圧を共通電極ＴＬ（０）へ与えることが可能となる。表示期間において、タッチ用半導体装置７は、選択信号ＴＰ（０）〜ＴＰ（ｐ）をロウレベルにする。また、制御信号ＶＣＯＭＳＥＬは、ロウレベルとなる。これにより、バッファ回路ＢＦ２からはロウレベルのスイッチ制御信号ＳＷ１＿Ｃが出力され、２入力アンド回路ＮＤ１からもロウレベルのスイッチ制御信号ＳＷ２＿Ｃが出力される。その結果、第１スイッチＳ６０〜Ｓ６２および第２スイッチＳ７０〜Ｓ７２はともにオフ状態となり、第２単位駆動電極ドライバ１２−２（０）の出力はハイインピーダンス状態となる。これにより、ドライバ用半導体装置ＤＤＩＣから端子ＳＰ１１〜ＳＰ１６へ供給された画像信号は、単位信号線セレクタ６（０）に供給され、適切な信号線へ供給されるようになる。
【０１６０】
この実施の形態２において、第１スイッチＳ６３、第２スイッチＳ７３および第３スイッチＳ５３は、スイッチとしては機能していない。そのため、第１スイッチＳ６３および第２スイッチＳ７３については、設けなくてもよい。また、第３スイッチＳ５３については、共通電極ＴＬ（０）と電圧配線７００とを接続する配線としてもよい。しかしながら、第１スイッチＳ６３、第２スイッチＳ７３および第３スイッチＳ５３を設けるようにすることにより、第１スイッチ、第２スイッチおよび第３スイッチを繰り返して配置することにより、第２駆動電極ドライバ１２−２（０）および切換回路１００（０）を構成することができるようになり、設計および製造の容易化を図ることが可能である。なお、スイッチとして機能しないと言う観点で見た場合、第１スイッチＳ６３、第２スイッチＳ７３および第３スイッチＳ５３のそれぞれは、ダミースイッチであると見なすことができる。
【０１６１】
第１単位駆動電極回路ＵＣＧ１（０）および第２単位駆動電極回路ＵＣＧ２（０）を代表として説明したが、残りの第１単位駆動電極回路ＵＣＧ１（１）〜ＵＣＧ１（ｐ）および第２単位駆動電極回路ＵＣＧ２（１）〜ＵＣＧ２（ｐ）についても同様である。
【０１６２】
＜第１単位駆動電極回路および第２単位駆動電極回路の動作＞
次に、図１１に示した液晶表示装置１の動作を説明する。図１２（Ａ）〜（Ｅ）は、図１１に示した液晶表示装置１の動作を示す波形図である。図１２において、横軸は時間を示しており、縦軸は電圧を示している。図１２（Ａ）は、選択信号ＳＥＬ１の波形を示しており、図１２（Ｂ）は、制御信号ＶＣＯＭＳＥＬの波形を示しており、図１２（Ｃ）は、制御信号ＴＳＶＣＯＭの波形を示している。
【０１６３】
図１２には、タッチ検出期間と表示期間の波形が示されており、タッチ検出期間については、図１１に示した共通電極ＴＬ（０）に関する波形が示されている。すなわち、図１２（Ｄ）は、選択信号ＴＰ（０）の波形を示しており、図１２（Ｅ）は、共通電極ＴＬ（０）に供給される駆動信号Ｔｘ（０）の波形を示している。図１２において、「タッチ検出期間（選択共通電極）」は、タッチ用半導体装置７によって、共通電極ＴＬ（０）を選択共通電極として指定した場合を示している。また、「タッチ検出期間（非選択共通電極）」は、タッチ用半導体装置７によって、共通電極ＴＬ（０）を非選択共通電極として指定した場合を示している。
【０１６４】
図１２において、信号線プリチャージ期間および表示期間の動作は、図９で説明した動作とほぼ同じであるため、相違点のみを説明する。実施の形態１においては、信号線プリチャージ期間および表示期間のとき、単位駆動電極回路ＵＣＧ１（０）から、共通電極ＴＬ（０）に接地電圧に対応する電圧ＶＣＯＭＤＣを供給していた。これに対して、実施の形態２においては、第１単位駆動電極回路ＵＣＧ１（０）と単位切換回路１００（０）の両方から、共通電極ＴＬ（０）に、接地電圧に対応する電圧ＶＣＯＭＤＣが供給される。これにより、表示の際の共通電極ＴＬ（０）の電圧をより安定化することが可能となる。
【０１６５】
タッチ検出期間においては、ドライバ用半導体装置ＤＤＩＣは、選択信号ＳＥＬ１およびＳＥＬ２の両方をハイレベルにする。これにより、図１１に示したスイッチＳ１１とＳ１２は両方ともオン状態となる。また、タッチ用半導体装置７は、制御信号ＶＣＯＭＳＥＬをハイレベルにし、制御信号ＴＳＶＣＯＭの電圧を周期的に変化させる。
【０１６６】
タッチ検出期間が、タッチ検出期間（選択共通電極）の場合、タッチ用半導体装置７は、選択信号ＴＰ（０）をハイレベルにする。制御信号ＶＣＯＭＳＥＬがハイレベルで、制御信号ｘＶＣＯＭＳＥＬがロウレベルであるため、スイッチ回路ＳＷ２が導通状態となり、ハイレベルの選択信号ＴＰ（０）がスイッチ回路ＳＷ２を介して、端子ＳＰ１６に供給される。このとき、ドライバ用半導体装置ＤＤＩＣの出力端子（図７の○印）は、ハイインピーダンス状態のため、端子ＳＰ１６に供給された選択信号ＴＰ（０）は、制御線ＳＳ（０）［ＳＬ（０）２（Ｂ）］を伝搬し、第１単位駆動電極回路ＵＣＧ１（０）へ供給される。
【０１６７】
第１単位駆動電極回路ＵＣＧ１（０）においては、制御信号ＶＣＯＭＳＥＬがハイレベルであるため、スイッチ回路ＳＷ３におけるスイッチＳ４０〜Ｓ４３は導通状態となり、Ｐ型ＭＯＳＦＥＴＴＰ２はオフ状態となる。そのため、制御線ＳＳ（０）は、スイッチＳ４０を介して信号配線８００に接続され、信号配線８００の電圧は、ハイレベルとなる。信号配線８００の電圧がハイレベルとなることにより、バッファ回路ＢＦ１の出力はハイレベルとなり、インバータ回路ＩＶ１の出力はロウレベルとなる。これにより、スイッチＳ２０〜Ｓ２３はオフ状態となり、スイッチＳ３０〜Ｓ３３はオン状態となる。スイッチＳ３０〜Ｓ３３がオン状態となることにより、共通電極ＴＬ（０）は、スイッチＳ３０〜Ｓ３３を介して信号配線５０３に接続される。信号配線５０３における制御信号ＴＳＶＣＯＭは、その電圧が周期的に変化しているため、駆動電極ＴＬ（０）には、図１１（Ｅ）に示すように周期的に電圧が変化する駆動信号Ｔｘ（０）が供給されることになる。
【０１６８】
また、選択信号ＴＰ（０）がハイレベルであるため、第２単位駆動電極回路ＵＣＧ２（０）におけるバッファ回路ＢＦ２の出力信号であるスイッチ制御信号ＳＷ１＿Ｃはハイレベルとなる。このとき、インバータ回路ＩＶ２から出力されている反転信号はロウレベルとなり、２入力アンド回路ＮＤ１からは、ロウレベルのスイッチ制御信号ＳＷ２＿Ｃが出力される。これにより、第１スイッチ（Ｓ６０〜Ｓ６２）がオン状態となり、第２スイッチ（Ｓ７０〜Ｓ７２）はオフ状態となる。これにより、周期的に電圧が変化する制御信号ＴＳＶＣＯＭが、第１スイッチを介して、端子ＳＰ１１〜ＳＰ１５に供給される。
【０１６９】
図１２（Ｂ）に示すように制御信号ＶＣＯＭＳＥＬがハイレベルであるため、単位切換回路１００（０）における第３スイッチ（Ｓ５０〜Ｓ５２）は、共通端子Ｃが入力端子Ｐ２に接続されている。そのため、端子ＳＰ１１〜ＳＰ１５に供給された制御信号ＴＳＶＯＭは、第３スイッチを介して共通電極ＴＬ（０）へ供給される。また、単位信号線セレクタ６（０）におけるスイッチＳ１１、Ｓ１２がオン状態となっているため、制御信号ＴＳＶＯＭは、制御線ＳＳ（０）として機能している信号線ＳＬ（０）２（Ｂ）を除いた信号線にも供給される。
【０１７０】
これにより、共通電極ＴＬ（０）は、その両端から、制御信号ＴＳＶＣＯＭが駆動信号Ｔｘ（０）として供給されることになり、図２において説明したように、駆動電極ＴＬ（０）の近傍がタッチされているか否かの検出を行うことが可能となる。
【０１７１】
一方、タッチ検出期間が、タッチ検出期間（非選択共通電極）の場合、タッチ用半導体装置７は、選択信号ＴＰ（０）をロウレベルにする。制御信号ＶＣＯＭＳＥＬがハイレベルで、制御信号ｘＶＣＯＭＳＥＬがロウレベルであるため、スイッチ回路ＳＷ２が導通状態となり、ロウレベルの選択信号ＴＰ（０）がスイッチ回路ＳＷ２を介して、端子ＳＰ１６に供給される。このとき、ドライバ用半導体装置ＤＤＩＣの出力端子（図７の○印）は、ハイインピーダンス状態のため、端子ＳＰ１６に供給された選択信号ＴＰ（０）は、制御線ＳＳ（０）を伝搬し、第１単位駆動電極回路ＵＣＧ１（０）へ供給される。
【０１７２】
第１単位駆動電極回路ＵＣＧ１においては、制御信号ＶＣＯＭＳＥＬがハイレベルであるため、スイッチ回路ＳＷ３におけるスイッチＳ４０〜Ｓ４３は導通状態となり、Ｐ型ＭＯＳＦＥＴＴＰ２はオフ状態となる。そのため、制御線ＳＳ（０）は、スイッチ回路ＳＷ１を介して信号配線８００に接続され、信号配線８００の電圧は、ロウレベルとなる。信号配線８００の電圧がロウレベルとなることにより、バッファ回路ＢＦ１の出力はロウレベルとなり、インバータ回路ＩＶ１の出力はハイレベルとなる。これにより、スイッチＳ３０〜Ｓ３３はオフ状態となり、スイッチＳ２０〜Ｓ２３はオン状態となる。スイッチＳ２０〜Ｓ２３がオン状態となることにより、共通電極ＴＬ（０）は、スイッチＳ２０〜Ｓ２３を介して電圧配線７００に接続される。その結果、共通電極ＴＬ（０）には、その電圧が周期的に変化する制御信号ＴＳＶＣＯＭは供給されず、接地電圧である電圧ＶＣＯＭＤＣが供給されることになる。
【０１７３】
第２単位駆動電極回路ＵＣＧ２（０）においては、選択信号ＴＰ（０）がロウレベルになることにより、バッファ回路ＢＦ２は、ロウレベルのスイッチ制御信号ＳＷ１＿Ｃを出力する。また、インバータ回路ＩＶ２は、ハイレベルの反転信号を出力する。このとき、制御信号ＶＣＯＭＳＥＬがハイレベルであるため、２入力アンド回路ＮＤ１は、ハイレベルのスイッチ制御信号ＳＷ２＿Ｃを出力する。
【０１７４】
これにより、第１スイッチ（Ｓ６０〜Ｓ６２）はオフ状態となり、第２スイッチ（Ｓ７０〜Ｓ７２）はオン状態となる。第２スイッチがオン状態となることにより、端子ＳＰ１１〜ＳＰ１５には、第２スイッチを介して接地電圧に対応する電圧ＶＣＯＭＤＣが供給される。これにより、共通電極ＴＬ（０）および制御線ＳＳ（０）に対応する信号線を除く信号線には、電圧ＶＣＯＭＤＣが供給されることになる。
【０１７５】
この場合も、共通電極ＴＬ（０）の両端において、電圧ＶＣＯＭＤＣが供給されるため、共通電極ＴＬ（０）の電圧をより安定化することが可能となる。共通電極ＴＬ（０）に固定の電圧（ＶＣＯＭＤＣ）が供給されるため、共通電極ＴＬ（０）の近傍がタッチされても検出信号の電圧は変化せず、タッチの有無の検出は行われない。
【０１７６】
共通電極ＴＬ（０）、第１単位駆動電極回路ＵＣＧ１（０）および第２単位駆動電極回路ＵＣＧ２（０）を代表例として説明したが、共通電極ＴＬ（１）〜ＴＬ（ｐ）、第１単位駆動電極回路ＵＣＧ１（１）〜ＵＣＧ２（ｐ）および第２単位駆動電極回路ＵＣＧ２（１）〜ＵＣＧ１（ｐ）についても、構成および動作は同じである。
【０１７７】
実施の形態２においては、液晶パネル２の短辺２−Ｕ、２−Ｄに沿って配置された第１駆動電極回路ＣＧＷ１および第２駆動電極回路ＣＧＷ２の両方によって、共通電極ＴＬ（０）〜ＴＬ（ｐ）を駆動する。そのため、第１駆動電極回路ＣＧＷ１および第２駆動電極回路ＵＣＷ２のそれぞれの駆動能力を低くしても、共通電極を駆動することが可能となり、液晶パネル２の下側および上側額縁を狭くすることが可能である。また、第２駆動電極回路ＣＧＷ２から第１駆動電極回路ＣＧＷ１へ選択信号を伝達する配線として、表示の際には画像信号を伝達する信号線を、タッチ検出期間においては、制御線として用いることにより、表示パネル２の横側額縁が大きくなるのを抑制することが可能である。
【０１７８】
図１０〜図１２においては、制御線ＳＳ（０）として、信号線ＳＬ（０）２（Ｂ）を用いる例を説明したが、これには限定されない。信号線の少なくとも一部を制御線として用いることが可能である。
【０１７９】
（実施の形態３）
＜液晶表示装置１の構成＞
図１３は、実施の形態３に係わる液晶表示装置１の構成を示すブロック図である。図１３には、図５に示したモジュール５００のうち、共通電極、第１回路ＣＧＷ１、第２回路ＣＧＷ２およびドライバ用半導体装置ＤＤＩＣが、詳しく示されている。模式的にではあるが、図１３も、実際の配置に合わせて描かれている。
【０１８０】
図１３に示す液晶表示装置の構成は、図１０に示した液晶表示装置の構成と類似している。ここでは、図１０に示した液晶表示装置との相違点を主に説明する。先ず、相違点の概要を述べると、実施の形態３に係わる液晶表示装置１においては、タッチ用半導体装置７は、タッチ検出期間において、選択共通電極として指定する共通電極に対し、周期的に電圧が変化する選択信号を供給し、非選択共通電極として指定する共通電極に対しては、時間的に電圧値が変化しない選択信号を供給する。第１回路ＣＧＷ１および第２回路ＣＧＷ２のそれぞれは、周期的に変化する選択信号が供給されたとき、当該選択信号に対応した共通電極を、この選択信号に同期して、第１電圧（ＴＰＨ）と第２電圧（ＶＣＯＭＤＣ）に交互に接続する駆動電極回路を備えている。実施の形態２と同様に、ここでは、第１回路ＣＧＷ１を第１駆動電極回路ＣＧＷ１とし、第２回路ＣＧＷ２を第２駆動電極回路ＣＧＷ２とする。
【０１８１】
第１駆動電極回路ＣＧＷ１は、実施の形態２と同様に、複数の第１単位駆動電極回路ＵＣＧ１（０）〜ＵＣＧ１（ｐ）を備えている。これらの第１単位駆動電極回路ＵＣＧ１（０）〜ＵＣＧ１（ｐ）は、共通電極ＴＬ（０）〜ＴＬ（ｐ）と１対１に対応しており、互いに同じ構成を有している。第１単位駆動電極回路ＵＣＧ１（０）を代表にして、説明すると、第１単位駆動電極回路ＵＣＧ１（０）は、第１単位駆動電極ドライバ１２−１（０）とスイッチ回路ＳＷ４とを備えている。第１単位駆動電極ドライバ１２−１（０）は、共通電極ＴＬ（０）が選択共通電極として指定された場合、信号配線８００を介して供給される選択信号の電圧変化に同期して、共通電極ＴＬ（０）を第１電圧配線１３００と第２電圧配線７００とに交互に接続する。ここで、第１電圧配線１３００には、ハイレベルの第１電圧ＴＰＨが供給され、第２電圧配線７００には、接地電圧に対応する第２電圧ＶＣＯＭＤＣが供給されている。第１電圧ＴＰＨは、第２電圧ＶＣＯＭＤＣよりも電圧値が高い電圧である。
【０１８２】
スイッチ回路ＳＷ４は、制御信号ＶＣＯＭＳＥＬにより制御され、タッチ検出期間において、信号線ＳＬ（０）を介して供給される選択信号を、信号配線８００へ伝達する。なお、図１３には、信号線ＳＬ（０）として、信号線ＳＬ（０）０（Ｒ）、ＳＬ（０）０（Ｂ）、ＳＬ（０）２（Ｒ）、ＳＬ（０）２（Ｂ）が示されている。
【０１８３】
第２駆動電極回路ＣＧＷ２も、複数の第２単位駆動電極回路ＵＣＧ２（０）〜ＵＣＧ２（ｐ）を備えている。これらの第２単位駆動電極回路ＵＣＧ２（０）〜ＵＣＧ２（ｐ）は、共通電極ＴＬ（０）〜ＴＬ（ｐ）と１対１に対応しており、互いに同じ構成を有している。第２単位駆動電極回路ＵＣＧ２（０）を代表にして、説明すると、第２単位駆動電極回路ＵＣＧ２（０）は、タッチ検出期間において、選択信号ＴＰ（０）が、共通電極ＴＬ（０）を選択共通電極として指定するとき、選択信号ＴＰ（０）の電圧変化に同期して、端子ＳＰ１１〜ＳＰ１６を、第１電圧配線１３００と第２電圧配線７００に交互に接続する。単位信号線セレクタ６（０）は、実施の形態２と同様に、タッチ検出期間のとき、端子ＳＰ１１〜ＳＰ１６を、共通電極ＴＬ（０）および信号線ＳＬ（０）に接続する。そのため、この第２駆動電極回路ＵＣＧ２（０）は、第２駆動電極ドライバと見なすことができる。
【０１８４】
第１単位駆動電極回路ＵＣＧ１（０）および第２単位駆動電極回路ＵＣＧ２（０）を代表として説明したが、残りの第１単位駆動電極回路ＵＣＧ１（１）〜ＵＣＧ１（ｐ）および第２単位駆動電極回路ＵＣＧ２（１）〜ＵＣＧ２（ｐ）についても、構成および動作は同じである。
【０１８５】
＜第１単位駆動電極回路および第２単位駆動電極回路の構成＞
次に、図１３で示した第１単位駆動電極回路ＵＣＧ１（０）〜ＵＣＧ１（ｐ）および第２単位駆動電極回路ＵＣＧ２（０）〜ＵＣＧ２（ｐ）の構成を説明する。ここでは、第１単位駆動電極回路ＵＣＧ１（０）および第２単位駆動電極回路ＵＣＧ２（０）を代表として、図１４を用いて説明する。
【０１８６】
図１４は、実施の形態３に係わる液晶表示装置１の要部の構成を示す回路図である。図１４に示した回路の構成は、図１１に示した回路の構成と類似しているので、ここでは主に相違点を説明する。
【０１８７】
実施の形態２においては、第１単位駆動電極回路ＵＣＧ１（０）および第２単位駆動電極回路ＵＣＧ２（０）のそれぞれは、選択信号ＴＰ（０）がハイレベルのとき、周期的に電圧が変化する制御信号ＴＳＶＣＯＭを共通電極ＴＬ（０）へ供給するように動作する。これに対して、実施の形態３においては、選択信号ＴＰ（０）の電圧が周期的に変化するとき、この電圧変化に同期して、共通電極ＴＬ（０）を第１電圧配線１３００と第２電圧配線７００とに交互に接続する。これにより、制御信号ＴＳＶＣＯＭを形成する回路の駆動能力が低くても、選択共通電極の電圧変化を所望の時間内で行うことが可能となる。
【０１８８】
先ず、第１単位駆動電極回路ＵＣＧ１（０）について説明する。第１単位駆動電極ドライバＵＣＧ１（０）に含まれている第１単位駆動電極ドライバ１２−１（０）の構成は、図１１に示した第１単位駆動電極ドライバ１２（０）と類似している。すなわち、第１単位駆動電極ドライバ１２−１（０）は、Ｐ型ＭＯＳＦＥＴＴＰ２、スイッチＳ２０〜Ｓ２３、Ｓ３０〜Ｓ３３、インバータ回路ＩＶ１およびバッファ回路ＢＦ１を有している。図１１においては、スイッチＳ３０〜Ｓ３３は、共通電極ＴＬ（０）と信号配線５０３との間に接続されていた。しかしながら、実施の形態３においては、スイッチＳ３０〜Ｓ３３は、共通電極ＴＬ（０）と第１電圧配線１３００との間に接続されている。
【０１８９】
また、第１単位駆動電極回路ＵＣＧ１（０）に含まれているスイッチ回路ＳＷ４は、制御信号ＶＣＯＭＳＥＬによってスイッチ制御されるスイッチＳ４０−１〜Ｓ４０−４を備えている。ここで、スイッチＳ４０−１〜４０−３は、信号配線８００と信号線ＳＬ（０）との間に接続されている。図１４においては、信号線ＳＬ（０）の例として、信号線ＳＬ（０）０（Ｒ）、ＳＬ（０）０（Ｇ）、ＳＬ（０）０（Ｂ）およびＳＬ（０）２（Ｂ）が示されている。これらの信号線ＳＬ（０）０（Ｒ）、ＳＬ（０）０（Ｇ）、ＳＬ（０）０（Ｂ）およびＳＬ（０）２（Ｂ）は、実施の形態２と同様に、表示期間においては画像信号を伝達するために用いられ、タッチ検出期間においては、選択信号を伝達する信号線として用いられる。スイッチＳ４０−１〜Ｓ４０−３は、表示期間においては、制御信号ＶＣＯＭＳＥＬによりオフ状態にされるため、信号配線８００と信号線ＳＬ（０）０（Ｒ）、ＳＬ（０）０（Ｇ）、ＳＬ（０）０（Ｂ）およびＳＬ（０）２（Ｂ）とを分離する分離回路として機能する。選択信号を伝達すると言う観点で見た場合、信号線ＳＬ（０）０（Ｒ）、ＳＬ（０）０（Ｇ）、ＳＬ（０）０（Ｂ）およびＳＬ（０）２（Ｂ）は制御線ＳＳ（０）を構成していると見なすこともできる。
【０１９０】
実施の形態２と同様に、タッチ検出期間においては、信号線ＳＬ（０）０（Ｒ）、ＳＬ（０）０（Ｇ）、ＳＬ（０）０（Ｂ）、ＳＬ（０）２（Ｂ）およびスイッチＳ４０−１〜４０−３を介して、選択信号が信号配線８００に供給される。
【０１９１】
次に、第２単位駆動電極回路ＵＣＧ２（０）を説明する。第２単位駆動電極回路ＵＣＧ２（０）は、端子ＳＰ１１〜ＳＰ１６と第１電圧配線１３００との間に接続された複数の第４スイッチと端子ＳＰ１１〜ＳＰ１６と第２電圧配線７００との間に接続された複数の第５スイッチとを備えている。また、第２単位駆動電極回路ＵＣＧ２（０）は、インバータ回路ＩＶ３、バッファ回路ＢＦ３および２入力アンド（ＡＮＤ）回路ＮＤ２を有している。バッファ回路ＢＦ３およびインバータ回路ＩＶ３は、タッチ用半導体装置７からの選択信号ＴＰ（０）を受け、バッファ回路ＢＦ３は、選択信号ＴＰ（０）と同相の信号をスイッチ制御信号ＳＷ３＿Ｃとして出力する。また、インバータ回路ＩＶ３は、選択信号ＴＰ（０）を位相反転し、反転信号を２入力アンド回路ＮＤ２に供給する。２入力アンド回路ＮＤ２は、反転信号と制御信号ＶＣＯＭＳＥＬとを受け、スイッチ制御信号ＳＷ４＿Ｃを出力する。
【０１９２】
図１４では、第４スイッチとして、端子ＳＰ１１〜ＳＰ１３およびＳＰ１６と第１電圧配線１３００との間に接続されたスイッチＳ８０〜Ｓ８３が示されている。また、第５スイッチとして、端子ＳＰ１１〜ＳＰ１３およびＳＰ１６と第２電圧配線７００との間に接続されたスイッチＳ９０〜Ｓ９３が示されている。第４スイッチＳ８０〜Ｓ８３は、スイッチ制御信号ＳＷ３＿Ｃによってスイッチ制御され、第５スイッチＳ９０〜Ｓ９３は、スイッチ制御信号ＳＷ４＿Ｃによってスイッチ制御される。
【０１９３】
タッチ検出期間においては、制御信号ＶＣＯＭＳＥＬがハイレベルとなる。タッチ用半導体装置７が、共通電極ＴＬ（０）を選択共通電極として指定する場合、タッチ用半導体装置７は、選択信号ＴＰ（０）の電圧を、周期的に変化させる。これにより、バッファ回路ＢＦ３から出力されるスイッチ制御信号ＳＷ３＿Ｃの電圧は周期的に変化することになる。また、２入力アンド回路ＮＤ２は、ハイレベルの制御信号ＶＣＯＭＳＥＬが供給されているため、選択信号ＴＰ（０）に対して位相反転された信号をスイッチ制御信号ＳＷ４＿Ｃとして出力する。これにより、第４スイッチ（Ｓ８０〜Ｓ８３）と第５スイッチ（Ｓ９０〜Ｓ９３）は、交互にオン状態となる。その結果、端子ＳＰ１１〜ＳＰ１６は、第４スイッチと第５スイッチを介して、交互に第１電圧配線１３００と第２電圧配線７００に接続されることになる。
【０１９４】
一方、タッチ用半導体装置７が、共通電極ＴＰ（０）を非選択共通電極として指定する場合、タッチ用半導体装置７は、ロウレベルの選択信号ＴＰ（０）を出力する。この場合には、スイッチ制御信号ＳＷ３＿Ｃはロウレベルとなり、スイッチ制御信号ＳＷ４＿Ｃはハイレベルとなり、それぞれの電圧値が維持される。この結果、第４スイッチ（Ｓ８０〜Ｓ８３）はオフ状態となり、第５スイッチ（Ｓ９０〜Ｓ９３）はオン状態となる。そのため、端子ＳＰ１１〜ＳＰ１６は、第５スイッチを介して第２電圧配線７００に接続された状態となる。
【０１９５】
単位切換回路１００（０）は、実施の形態２と同様に、複数の第３スイッチにより構成されている。図１４には、第３スイッチとして、実施の形態２と同様に、スイッチＳ５０〜Ｓ５３が示されている。ここで、実施の形態２と異なり、実施の形態３においては、第３スイッチのそれぞれは、制御信号ＶＣＯＭＳＥＬに従って、共通電極ＴＬ（０）を信号線ＳＬ（０）または端子ＳＰ１１〜ＳＰ１６に接続する。すなわち、実施の形態２においては、図１１に示したように、第３スイッチＳ５３は、ダミースイッチとして機能していたが、実施の形態３においては、第３スイッチＳ５３は、その共通電極Ｃを制御信号ＶＣＯＭＳＥＬに従って、入力端子Ｐ１またはＰ２を介して電圧配線７００または端子ＳＰ１６へ接続するスイッチとして機能する。
【０１９６】
選択信号ＳＥＬ１、ＳＥｌは、実施の形態１および２において述べたように、表示期間のとき、単位信号線セレクタ６（０）を構成するスイッチＳ１１とＳ１２を相補的にオン状態とする。これにより、端子ＳＰ１１〜ＳＰ１６へ供給された画像信号は、単位信号線セレクタ６（０）により、適切な信号線ＳＬ（０）へ供給される。一方、タッチ検出期間においては、選択信号ＳＥＬ１、ＳＥＬ２のそれぞれがハイレベルとなる。その結果、単位信号線セレクタ６（０）を構成するスイッチＳ１１およびＳ１２の両方がオン状態となる。
【０１９７】
実施の形態２と同様に、表示期間においては、端子ＳＰ１１〜ＳＰ１６に、ドライバ用半導体装置ＤＤＩＣから画像信号が供給される。一方、タッチ検出期間では、ドライバ用半導体装置ＤＤＩＣは、その出力端子（図１３の○印）を、ハイインピーダンス状態にする。タッチ検出期間では、単位切換回路１００（０）を構成する第３スイッチＳ５０〜Ｓ５３のそれぞれの共通端子Ｃは、制御信号ＶＣＯＭＳＥＬがハイレベルとなるため、入力端子Ｐ２に接続される。さらに、この期間では、単位信号線セレクタ６（０）のそれぞれのスイッチＳ１１およびＳ１２がオン状態となる。
【０１９８】
そのため、タッチ検出期間において、選択信号ＴＰ（０）の電圧が周期的に変化する場合、端子ＳＰ１１〜ＳＰ１６、共通電極ＴＬ（０）および信号線ＳＬ（０）は、選択信号ＴＰ（０）の電圧変化に同期して、第１電圧配線１３００と第２電圧配線７００とに交互に接続され、電圧が変化することになる。言い換えるならば、選択信号ＴＰ（０）に従った駆動信号Ｔｘ（０）が、端子ＳＰ１１〜ＳＰ１６、共通電極ＴＬ（０）および信号線ＳＬ（０）に供給されることになる。信号線ＳＬ（０）における電圧の変化は、スイッチＳ４０−１〜４０−３を介して、信号配線８００に供給される。言い換えるならば、第２単位駆動電極回路ＵＣＧ２（０）により形成された駆動信号Ｔｘ（０）が、選択信号として、第１単位駆動電極回路ＵＣＧ１（０）へ供給され、第１単位駆動電極回路ＵＣＧ１（０）に含まれている駆動電極ドライバ１２−１（０）に供給されることになる。
【０１９９】
信号配線８００における電圧が変化することにより、第１単位駆動電極ドライバ１２−１（０）を構成するスイッチＳ３０〜Ｓ３３とスイッチＳ２０〜Ｓ２３とが交互にオン状態となる。スイッチＳ３０〜Ｓ３３は、第１電圧配線１３００と共通電極ＴＬ（０）との間に接続され、スイッチＳ２０〜Ｓ２３は、第２電圧配線７００と共通電極ＴＬ（０）との間に接続されている。これにより、第１単位駆動電極回路ＵＣＧ１（０）も、選択信号ＴＰ（０）の電圧変化に同期して、対応する共通電極ＴＬ（０）へ駆動信号Ｔｘ（０）を供給することになる。すなわち、共通電極ＴＬ（０）は、その両端に配置された第１単位駆動電極回路ＵＣＧ１（０）および第２単位駆動電極回路ＵＣＧ２（０）から、駆動信号Ｔｘ（０）が供給され、駆動されることになる。勿論、第１単位駆動電極回路ＵＣＧ１（０）からの駆動信号Ｔｘ（０）と第２単位駆動電極回路ＵＣＧ２（０）からの駆動信号Ｔｘ（０）は、互いに同相である。
【０２００】
一方、タッチ検出期間において、選択信号ＴＰ（０）が、共通電極ＴＬ（０）を非選択共通電極として指定する場合、すなわち、選択信号ＴＰ（０）が接地電圧に維持されている場合、第２単位駆動電極回路ＵＣＧ２（０）においては、第５スイッチ（Ｓ９０〜Ｓ９３）がオン状態となる。また、第４スイッチ（Ｓ８０〜Ｓ８３）はオフ状態となる。これにより、第２電圧配線７００における第２電圧ＶＣＯＭＤＣが、第５スイッチ（Ｓ９０〜Ｓ９３）を介して、端子ＳＰ１１〜ＳＰ１６、共通電極ＴＬ（０）および信号線ＳＬ（０）へ供給される。信号線ＳＬ（０）における第２電圧ＶＣＯＭＤＣは、スイッチＳ４０−１〜Ｓ４０−３を介して、信号配線８００に供給される。これにより、駆動電極ドライバ１２−１（０）におけるスイッチＳ２０〜Ｓ２３がオン状態となり、第１単位駆動電極回路ＵＣＧ１（０）からも、第２電圧配線７００から第２電圧ＶＣＯＭＤＣが共通電極ＴＬ（０）に供給されることになる。
【０２０１】
また、表示期間においては、タッチ用半導体装置７は、選択信号線ＴＰ（０）〜ＴＰ（ｐ）のそれぞれをロウレベルにする。このとき、制御信号ＶＣＯＭＳＥＬはロウレベルとなる。その結果、第２単位駆動電極回路ＵＣＧ２（０）における第４スイッチ（Ｓ８０〜Ｓ８３）および第５スイッチ（Ｓ９０〜Ｓ９３）はオフ状態となる。これにより、第２単位駆動電極回路ＵＣＧ２（０）の出力はハイインピーダンス状態となる。一方、表示期間では、ロウレベルの制御信号ＶＣＯＭＳＥＬにより、単位切換回路１００（０）を構成する第３スイッチ（Ｓ５０〜Ｓ５３）の共通端子Ｃが入力端子Ｐ１に接続されるため、単位切換回路１００（０）によって、共通電極ＴＬ（０）は、第２電圧配線７００に接続される。このとき、第１単位駆動電極ＵＣＧ１（０）におけるＰ型ＭＯＳＦＥＴＴＰ２もオン状態となるため、駆動電極ドライバ１２−１（０）におけるスイッチＳ２０〜Ｓ２３もオン状態となる。そのため、第１単位駆動電極回路ＵＣＧ１（０）からも共通電極ＴＬ（０）に対して、第２電圧ＶＣＯＭＤＣが供給されるようになる。
【０２０２】
その結果、表示期間においては、第１単位駆動電極回路ＵＣＧ１（０）と単位切換回路１００（０）によって、共通電極ＴＬ（０）の両端から第２電圧ＶＣＯＭＤＣが供給されることになる。また、表示期間において表示される画像信号は、ドライバ用半導体装置ＤＤＩＣから端子ＳＰ１１〜ＳＰ１６に供給され、信号線ＳＬ（０）へ伝達されることになる。
【０２０３】
このように、タッチ検出期間では、駆動信号Ｔｘ（０）が、駆動電極ＴＬ（０）の両端から供給されるため、第１単位駆動電極回路ＵＣＧ１（０）および第２単位駆動電極回路ＵＣＧ２（０）を小型化することが可能であり、上側および下側の狭額縁化を図ることが可能となる。また、表示期間においては画像信号を伝達する信号線をタッチ検出期間においては、選択信号を伝達する制御線として用いるため、右側および左側の額縁が大きくなるのを抑制することが可能となる。さらに、表示期間では、表示の際の駆動電圧である第２電圧ＶＣＯＭＤＣが、駆動電極ＴＬ（０）の両端から供給されるため表示期間における共通電極の電圧を安定化することが可能となる。
【０２０４】
＜第１単位駆動電極回路および第２単位駆動電極回路の動作＞
次に、図１４に示した液晶表示装置１の動作を説明する。図１５（Ａ）〜（Ｅ）は、図１４に示した液晶表示装置１の動作を示す波形図である。図１５において、横軸は時間を示しており、縦軸は電圧を示している。図１５（Ａ）は、選択信号ＳＥＬ１の波形を示しており、図１５（Ｂ）は、制御信号ＶＣＯＭＳＥＬの波形を示しており、図１５（Ｃ）は、選択信号ＴＰ（０）の波形を示している。
【０２０５】
図１５（Ｄ）は、第４スイッチをスイッチ制御するスイッチ制御信号ＳＷ３＿Ｃの波形を示しており、図１５（Ｅ）は、第５スイッチをスイッチ制御するスイッチ制御信号ＳＷ４＿Ｃの波形を示している。図１５において、「タッチ検出期間（選択共通電極）」は、タッチ用半導体装置７によって、共通電極ＴＬ（０）を選択共通電極として指定した場合を示している。また、「タッチ検出期間（非選択共通電極）」は、タッチ用半導体装置７によって、共通電極ＴＬ（０）を非選択共通電極として指定した場合を示している。
【０２０６】
図１５において、信号線プリチャージ期間および表示期間の動作は、図１２で説明した動作と同様であるため、説明は省略する。
【０２０７】
タッチ検出期間においては、ドライバ用半導体装置ＤＤＩＣは、選択信号ＳＥＬ１およびＳＥＬ２の両方をハイレベルにする。これにより、図１４に示したスイッチＳ１１とＳ１２は両方ともオン状態となる。また、制御信号ＶＣＯＭＳＥＬをハイレベルにする。
【０２０８】
タッチ検出期間が、タッチ検出期間（選択共通電極）の場合、タッチ用半導体装置７は、選択信号ＴＰ（０）の電圧を周期的に変化させる。制御信号ＶＣＯＭＳＥＬがハイレベルであるため、２入力アンド回路ＮＤ２は、選択信号ＴＰ（０）の反転信号をスイッチ制御信号ＳＷ４＿Ｃとして出力する。これにより、図１５（Ｄ）および（Ｅ）に示されているように、スイッチ制御信号ＳＷ３＿Ｃは、選択信号ＴＰ（０）と同相で変化し、スイッチ制御信号ＳＷ４＿Ｃは、選択信号ＴＰ（０）とは逆相で変化する。これにより、第４スイッチ（Ｓ８０〜Ｓ８３）と第５スイッチ（Ｓ９０〜Ｓ９３）とが交互にオン状態となる。選択信号ＳＥＬ１、ＳＥＬ２がともにハイレベルであるため、単位信号線セレクタ６（０）によって、信号線ＳＬ（０）は、端子ＳＰ１１〜ＳＰ１６に接続されている。また、制御信号ＶＣＯＭＳＥＬがハイレベルであるため、単位切換回路１００（０）によって、共通電極ＴＬ（０）は、端子ＳＰ１１〜ＳＰ１６に接続されている。
【０２０９】
これにより、タッチ検出期間（選択）においては、共通電極ＴＬ（０）および信号線ＳＬ（０）は、第１電圧配線１３００と第２電圧配線７００とに交互に接続され、それぞれの電圧は、選択信号ＴＰ（０）の電圧変化に同期して周期的に変化する。
【０２１０】
また、信号線ＳＬ（０）における電圧変化は、スイッチ回路ＳＷ４を介して、信号配線８００に供給される。信号配線８００における電圧変化により、第１単位駆動電極ドライバ１２−１（０）におけるスイッチＳ２０〜Ｓ２３とスイッチＳ３０〜Ｓ３３とが交互にオン状態となる。その結果、共通電極ＴＬ（０）は、第１駆動電極回路ＵＣＧ１（０）においても、第１電圧配線１３００と第２電圧配線７００とに交互に接続されることになる。
【０２１１】
これにより、駆動電極ＴＬ（０）は、その両端から、交互に第１電圧ＴＰＨと第２電圧ＶＣＯＭＤＣとが供給され、電圧が変化する。これにより、図２において説明したように、共通電極ＴＬ（０）の近傍がタッチされているか否かの検出が可能となる。
【０２１２】
一方、タッチ検出期間が、タッチ検出期間（非選択共通電極）の場合、タッチ用半導体装置７は、図１５（Ｃ）および（Ｂ）に示すように、選択信号ＴＰ（０）をロウレベルにし、制御信号ＶＣＯＭＳＥＬがハイレベルにする。選択信号ＴＰ（０）がロウレベルであるため、２入力アンド回路ＮＤ２は、選択信号ＴＰ（０）を位相反転したハイレベルの反転信号をスイッチ制御信号ＳＷ４＿Ｃとして出力する。これにより、共通電極ＴＬ（０）および信号線ＳＬ（０）は、第５スイッチ（Ｓ９０〜Ｓ９３）を介して第２電圧配線７００に接続され、第２電圧ＶＣＯＭＤＣが、共通電極ＴＬ（０）および信号線ＳＬ（０）に供給されることになる。このときの信号線ＳＬ（０）の電圧は、スイッチ回路ＳＷ４を介して、信号配線８００に供給される。信号配線８００の電圧が、接地電圧に対応する第２電圧ＶＣＯＭＤＣとなるため、第１単位駆動電極ドライバ１２−１（０）におけるスイッチＳ３０〜Ｓ３３がオン状態となる。その結果、スイッチＳ３０〜Ｓ３３を介して、共通電極ＴＬ（０）は、第２電圧配線７００に接続され、第２電圧ＶＣＯＭＤＣが供給される。
【０２１３】
これにより、共通電極ＴＬ（０）が非選択共通電極として指定されている場合には、その両端から接地電圧に対応する第２電圧ＶＣＯＭＤＣが供給され、第２電圧ＶＣＯＭＤＣに固定される。固定の電圧（ＶＣＯＭＤＣ）が供給されるため、共通電極ＴＬ（０）の近傍がタッチされても検出信号の電圧は変化せず、タッチの有無の検出は行われない。
【０２１４】
共通電極ＴＬ（０）、第１単位駆動電極回路ＵＣＧ１（０）および第２単位駆動電極回路ＵＣＧ２（０）を代表例として説明したが、共通電極ＴＬ（１）〜ＴＬ（ｐ）、第１単位駆動電極回路ＵＣＧ１（１）〜ＵＣＧ２（ｐ）および第２単位駆動電極回路ＵＣＧ２（１）〜ＵＣＧ１（ｐ）についても、構成および動作は同じである。
【０２１５】
実施の形態３においては、液晶パネル２の短辺２−Ｕ、２−Ｄに沿って配置された第１駆動電極回路ＣＧＷ１および第２駆動電極回路ＣＧＷ２の両方によって、共通電極ＴＬ（０）〜ＴＬ（ｐ）を駆動する。そのため、第１駆動電極回路ＣＧＷ１および第２駆動電極回路ＵＣＷ２のそれぞれの駆動能力を低くしても、共通電極を駆動することが可能となり、液晶パネル２の下側および上側額縁を狭くすることが可能である。また、第２駆動電極回路ＣＧＷ２から第１駆動電極回路ＣＧＷ１へ選択信号を伝達する配線として、表示の際には画像信号を伝達する信号線を、タッチ検出期間においては、制御線として用いることにより、表示パネル２の横側額縁が大きくなるのを抑制することが可能である。
【０２１６】
図１３〜図１５においては、共通電極ＴＬ（０）に対応する信号線ＳＬ（０）、すなわち図１４では、信号線ＳＬ（０）０（Ｒ）、ＳＬ（０）０（Ｇ）、ＳＬ（０）０（Ｂ）およびＳＬ（０）２（Ｂ）を制御線として用いる例を説明したが、これに限定されない。１個の共通電極に対応する複数の信号線のうちの少なくとも１個の信号線を、制御線として用いてもよい。しかしながら、複数の信号線を制御線として用いることにより、制御線として用いるときに、選択信号の遅延を低減することが可能である。
【０２１７】
本発明の思想の範疇において、当業者であれば、各種の変形例及び修正例に想到し得るものであり、それら変形例及び修正例についても本発明の範囲に属するものと了解される。
【０２１８】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０２１９】
例えば、実施の形態においては、共通電極ＴＬ（０）〜ＴＬ（ｐ）および信号線ＳＬ（０）〜ＳＬ（ｐ）は、列方向に延在し、行方向に配置されている場合を説明したが、行方向および列方向は、見る視点により変化する。見る視点を変えて、共通電極ＴＬ（０）〜ＴＬ（ｐ）および信号線ＳＬ（０）〜ＳＬ（ｐ）が、行方向に延在し、列方向に配置されている場合も本発明の範囲に含まれるものである。また、図１４においては、Ｐ型ＭＯＳＦＥＴＴＰ２は設けなくてもよい。
【符号の説明】
【０２２０】
１  タッチ検出機能付き液晶表示装置
２  液晶パネル
５  表示制御装置
６  信号線セレクタ
７  タッチ制御装置（タッチ用半導体装置）
８  ゲートドライバ
１０  駆動回路
１１  信号線ドライバ
１２  駆動電極ドライバ
１７  駆動信号形成部
ＳＳ（０）〜ＳＳ（ｐ）  制御線
ＳＰｉｘ  液晶表示素子
ＴＬ（０）〜ＴＬ（ｐ）  共通電極
ＳＬ（０）〜ＳＬ（ｐ）  信号線
ＲＬ（０）〜ＲＬ（ｐ）  検出電極
ＧＬ（０）〜ＧＬ（ｐ）  走査線
ＣＧＷ１  第１回路（第１駆動電極回路）
ＣＧＷ２  第２回路（第２駆動電極回路）
ＵＣＧ１（０）〜ＵＣＧ１（ｐ）  第１単位駆動電極回路
ＵＣＧ２（０）〜ＵＣＧ２（ｐ）  第２単位駆動電極回路
ＤＤＩＣ  ドライバ用半導体装置
【図１】
0006363039.tif 000002
【図２】
0006363039.tif 000003
【図３】
0006363039.tif 000004
【図４】
0006363039.tif 000005
【図５】
0006363039.tif 000006
【図６】
0006363039.tif 000007
【図７】
0006363039.tif 000008
【図８】
0006363039.tif 000009
【図９】
0006363039.tif 000010
【図１０】
0006363039.tif 000011
【図１１】
0006363039.tif 000012
【図１２】
0006363039.tif 000013
【図１３】
0006363039.tif 000014
【図１４】
0006363039.tif 000015
【図１５】
0006363039.tif 000016